(57)【要約】  本発明は、広く種々の基体、例えばパーソナルケア製品、布地、金属、セルロース材料、プラスチック等と組み合わせて使用することができるポリマー材料の分野、ならびに例えば抗微生物、抗細菌および抗真菌物質を包含する活性剤の分野に関する。本発明はさらに、少なくとも1種の活性成分を含むラテックスポリマーコーティングならびにそのようなラテックス組成物を製造および使用する方法に関する。【選択図】なし【特許請求の範囲】
【請求項１】
a)   i)  少なくとも1種のエチレン性不飽和の第1のモノマー；および  
ii)  場合により、アニオン性またはアニオンへの前駆体である少なくとも1種のエチレン性不飽和の第2のモノマー
の重合生成物を含むラテックスポリマー；
b)  少なくとも一部ラテックスポリマー内にカプセル封入される少なくとも1種の活性成分；ならびに
c)  場合により、ラテックスポリマー中に組み込まれる少なくとも1種の立体的に嵩高い成分
を含む活性アニオン性ポリマーラテックス。
【請求項２】
少なくとも1種のエチレン性不飽和の第1のモノマーが、ビニル芳香族モノマー、ハロゲン化もしくは非ハロゲン化オレフィンモノマー、脂肪族共役ジエンモノマー、非芳香族不飽和モノカルボン酸エステルモノマー、不飽和アルコキシル化モノエステルもしくはジエステルモノマー、酸無水物モノマーの不飽和ジエステル、窒素含有モノマー、ニトリル含有モノマー、環状もしくは非環状のアミン含有モノマー、分岐もしくは非分岐アルキルビニルエステルモノマー、アリールビニルエステルモノマー、ハロゲン化もしくは非ハロゲン化アルキル（メタ）アクリレートモノマー、ハロゲン化もしくは非ハロゲン化アリール（メタ）アクリレートモノマー、カルボン酸ビニルエステル、酢酸アルケニルエステル、カルボン酸アルケニルエステル、ハロゲン化ビニル、ハロゲン化ビニリデン、またはそれらの任意の組合せ（そのいずれも20個までの炭素原子を有する）である請求項１記載の活性アニオン性ポリマーラテックス。
【請求項３】
少なくとも1種のエチレン性不飽和の第1のモノマーが、スチレン、パラ-メチルスチレン、クロロメチルスチレン、ビニルトルエン、エチレン、ブタジエン、メチル（メタ）アクリレート、エチル（メタ）アクリレート、プロピル（メタ）アクリレート、ブチル（メタ）アクリレート、ペンチル（メタ）アクリレート、グリシジル（メタ）アクリレート、イソデシル（メタ）アクリレート、ラウリル（メタ）アクリレート、（メタ）アクリロニトリル、アクリルアミド、（メタ）アクリルアミド、N-メチロール（メタ）アクリルアミド、N-（イソブトキシメチル）（メタ）アクリルアミド、ビニルネオデカノエート、ビニルベルサテート、酢酸ビニル、C3-C8アルキルビニルエーテル、C3-C8アルコキシビニルエーテル、塩化ビニル、塩化ビニリデン、フッ化ビニル、フッ化ビニリデン、トリフルオロエチレン、テトラフルオロエチレン、クロロトリフルオロエチレン、ヘキサフルオロプロピレン、クロロトリフルオロエチレン、パーフルオロブチルエチレン、過フッ素化C3-C8アルファ-オレフィン、フッ素化C3-C8アルキルビニルエーテル、過フッ素化C3-C8アルキルビニルエーテル、過フッ素化C3-C8アルコキシビニルエーテル、またはそれらの任意の組合せである請求項１記載の活性アニオン性ポリマーラテックス。
【請求項４】
少なくとも1種のエチレン性不飽和の第2のモノマーが、不飽和ジカルボン酸モノマーの半エステルに基づくモノマー、不飽和モノ-もしくはジカルボン酸モノマー、サルフェート含有モノマー、スルホネート含有モノマー、ホスフェート含有モノマー、ホスホネート含有モノマー、不飽和無水物、酸無水物のモノエステル、またはそれらの任意の組合せ（そのいずれも20個までの炭素原子を有する）である請求項１記載の活性アニオン性ポリマーラテックス。
【請求項５】
少なくとも1種のエチレン性不飽和の第2のモノマーが、（メタ）アクリル酸、マレイン酸、マレイン酸無水物、2-スルホエチル（メタ）アクリレート、スチレンスルホネート、2-アクリルアミド-2-メチルプロパンスルホン酸、マレイン酸モノメチル、イタコン酸、イタコン酸無水物、フマル酸またはそれらの任意の組合せである請求項１記載の活性アニオン性ポリマーラテックス。
【請求項６】
少なくとも1種の立体的に嵩高い成分が、少なくとも1種の立体的に嵩高いエチレン性不飽和の第3のモノマー、少なくとも1種の立体的に嵩高いポリマーまたはそれらの組合せである請求項１記載の活性アニオン性ポリマーラテックス。
【請求項７】
少なくとも1種の立体的に嵩高い成分が：
a)   CH2=C(R1A)COO(CH2CHR2AO)mR3A、ここでR1A, R2AおよびR3Aは、Hもしくは1〜6個（上限値下限値を含む）の炭素原子を有するアルキル基から独立して選択され、mは1〜30（上限値下限値を含む）の整数である；
b)  CH2=C(R1B)COO(CH2CH2O)n(CH2CHR2BO)pR3B、ここでR1B, R2BおよびR3Bは、Hもしくは1〜6個（上限値下限値を含む）の炭素原子を有するアルキル基から独立して選択され、nおよびpは1〜15（上限値下限値を含む）から独立して選択される整数である；
c)  CH2=C(R1C)COO(CH2CHR2CO)q(CH2CH2O)rR3C、ここでR1C, R2CおよびR3Cは、Hもしくは1〜6個（上限値下限値を含む）の炭素原子を有するアルキル基から独立して選択され、qおよびrは1〜15（上限値下限値を含む）から独立して選択される整数である；または
d)  それらの組合せ
である請求項１記載の活性アニオン性ポリマーラテックス。
【請求項８】
少なくとも1種の立体的に嵩高い成分が：
a)   CH2=C(R1A)COO(CH2CHR2AO)mR3A、ここでR1A, R2AおよびR3AはHもしくはメチルから独立して選択され、mは1〜10（上限値下限値を含む）の整数である；
b)  CH2=C(R1B)COO(CH2CH2O)n(CH2CHR2BO)pR3B、ここでR1B, R2BおよびR3BはHもしくはメチルから独立して選択され、nおよびpは1〜10（上限値下限値を含む）から独立して選択される整数である；
c)  CH2=C(R1C)COO(CH2CHR2CO)q(CH2CH2O)rR3C、ここでR1C, R2CおよびR3CはHもしくはメチルから独立して選択され、qおよびrは1〜10（上限値下限値を含む）から独立して選択される整数である；または
d)  それらの組合せ
である請求項１記載の活性アニオン性ポリマーラテックス。
【請求項９】
少なくとも1種の立体的に嵩高い成分が、ジカルボン酸のアルコキシル化モノエステル；ジカルボン酸のアルコキシル化ジエステル；アルキルアリルスルホスクシネート塩；ビニルスルホネート塩；ポリオキシエチレンアルキルフェニルエーテル；ポリオキシエチレンアルキルフェニルエーテル硫酸アンモニウム；重合性界面活性剤；またはそれらの組合せである請求項１記載の活性アニオン性ポリマーラテックス。
【請求項１０】
少なくとも1種の立体的に嵩高い成分が、ポリビニルアルコール、ポリビニルピロリドン、ヒドロキシエチルセルロースまたはそれらの誘導体もしくは組合せである請求項１記載の活性アニオン性ポリマーラテックス。
【請求項１１】
少なくとも1種の活性成分が、天然の植物に基づく蝋、動物の蝋、天然蝋、合成無機蝋、合成蝋、パラフィン蝋、カルナウバ蝋、オゾケライト蝋、モンタン蝋、ポリオレフィン蝋、カンデリラ蝋、カルナウバ蝋、2個より多い炭素鎖長を含むアルコール、セチルアルコール、ステアリルアルコール、セトステアリルアルコール、ベヘニルアルコール、プロピレングリコール、ミリスチルアルコール、アラキジルアルコール、リグノセリルアルコール、ステアレート、ミリステート、ステアリン酸カルシウム、ステアリン酸亜鉛、ステアリン酸マグネシウムもしくはステアリン酸バリウム、カプリル酸、ペラルゴン酸、カプリン酸、ウンデシル酸、ラウリン酸、パルミチン酸、ベヘン酸、テレフタル酸、フタル酸、イソフタル酸、ナフタレン-2,6-ジカルボン酸、シクロヘキサンジカルボン酸、シクロヘキサン二酢酸、コハク酸、アジピン酸、セバシン酸、ステアリン酸、オレイン酸、ウンデシレン酸、リノール酸、香油、精油、植物油、魚油、パラフィン油および鉱油、ステアラミド、オレアミド、エルカミド、ステアリルステアラミド、ステアリルエルカミド、エチレンビスステアラミド、エチレンビスオレアミド、ココモノエタノールアミド、ココジエタノールアミド、オレインジエタノールアミド、ラウリンジエタノールアミド、ステアリンジエタノールアミド、カプリルアミド、ペラルゴンアミド、カプラミド、ラウラミド、ミリスタミド、パルミタミド、ステアラミド、アラキダミド、ベヘナミド、ステアリルステアラミド、パルミトールアミド、オレアミド、エルカミド、リノールアミド、リノレンアミド、オレイルパルミタミド、ステアリルエルカミド、エルシルエルカミド、オレイルオレアミド、エルシルステアラミド、リシノールアミド、エチレンビスステアラミド、エチレンビスオレアミド、エチレンビス12-ヒドロキシステアラミド、またはそれらの組合せである請求項１記載の活性アニオン性ポリマーラテックス。
【請求項１２】
少なくとも1種の活性成分が、酸化チタン、酸化亜鉛、黒酸化鉄、ウルトラマリン、赤酸化鉄、光沢のある顔料、金属効果の顔料、真珠光沢顔料、蛍光顔料、燐光顔料、金属水酸化物、金属酸化物水和物、混合相顔料、硫黄含有シリケート、金属硫化物、錯体メタロ-シアニド、硫酸金属塩、クロム酸金属塩、モリブデン酸金属塩、黄酸化鉄、茶酸化鉄、マンガンバイオレット、スルホケイ酸ナトリウムアルミニウム、酸化クロム水和物、フェロシアン化鉄(III)、コチニール、種子、破砕された種子の堅果殻、ビーズ、ヘチマ粒子、ポリエチレンボール、クレー、カルシウムベントナイト、カオリン、陶土、タルク、パーライト、雲母、バーミキュライト、シリカ、石英粉末、モンモリロナイト、炭酸カルシウム、ナノ材料、タルクまたはそれらの組合せである請求項１記載の活性アニオン性ポリマーラテックス。
【請求項１３】
少なくとも1種の活性成分が、ヒアルロン酸、コンドロイチン硫酸、エラスチン、コラーゲン、多糖、グリコサミノグリカン、アスコルビン酸、アスコルビン酸誘導体、グルコサミンアスコルベート、アルギニンアスコルベート、リジンアスコルベート、チロシンアスコルベート、グルタチオンアスコルベート、ニコチンアミドアスコルベート、ナイアシンアスコルベート、アラントインアスコルベート、クレアチンアスコルベート、クレアチニンアスコルベート、コンドロイチンアスコルベート、キトサンアスコルベート、DNAアスコルベート、カルノシンアスコルベート、トコトリエノール、ルチン、ケルセチン、ヘスペレジン、ジオスミン、マンジフェリン、マンゴスチン、シアニジン、アスタキサンチン、ルテイン、リコピン、レスベラトロール、テトラヒドロクルクミン、ローズマリー酸、ヒペリシン、エラグ酸、クロロゲン酸、オレウロペイン、アルファ-リポ酸、ナイアシンアミドリポエート、グルタチオン、アンドログラホリド、カルノシン、ナイアシンアミド、ポリフェノール、ピクノジェノール、ベンゾフェノン、ベンゾトリアゾール、サリチレート、ジベンゾイルメタン、アントラニレート、メチルベンジリデン、オクチルトリアゾン、2-フェニルベンズイミダゾール-5-スルホン酸、オクトクリレン、トリアジン、シンナメート、シアノアクリレート、ジシアノエチレン、エトクリレン、ドロメトリゾールトリシロキサン、ビスエチルヘキシルオキシフェノールメトキシフェノールトリアジン、ドロメトリゾール、ジオクチルブタミドトリアゾン、テレフタリリデンジカンファースルホン酸、パラ-アミノベンゾエート、サリチル酸、ピリチオン亜鉛、ジヒドロキシアセトン、エリトルロース、メラニン、ビタミンCもしくはその誘導体、ビタミンAもしくはその誘導体、葉酸もしくはその誘導体、ビタミンEもしくはその誘導体、酢酸トコフェリル、フラボン、フラボノイド、ヒスチジン、グリシン、チロシン、トリプトファンもしくはその誘導体、カロテノイド、カロテン、尿酸もしくはその誘導体、クエン酸、乳酸、リンゴ酸；スチルべンもしくはその誘導体、ザクロ抽出物、ビタミンK1、ビタミンK2、ビタミンK1オキシド、ビタミンK2オキシド、ホルモン、無機物、草本植物抽出物、植物抽出物、抗炎症剤、草本植物抽出物の濃縮物、緩和薬、皮膚保護剤、湿潤剤、シリコーン、肌をなめらかにする成分、鎮痛剤、皮膚浸透促進剤、可溶化剤、緩和薬、アルカロイド、染料、顔料、香料、芳香剤、ハロゲン化銅(I)、ハロゲン化銅(II)、酢酸銅(II)、蟻酸銅(II)、酢酸銅(I)、蟻酸銅(I)、ハロゲン化鉄(II)、ハロゲン化鉄(III)、硫酸鉄(II)、硫酸鉄(III)、システイン、グルタチオン、N-アセチルシステイン、L-アルファ-アセトアミド-ベータメルカプトプロピオン酸、S-ニトロソ-グルタチオン、N-アセチル-3-メルカプト-アラニン、ブチル化ヒドロキシアニソール、ブチル化ヒドロキシトルエン、L-2-オキソチアゾリジン-4-カルボキシレート、デスフェリオキサミン、アロプリノール、スーパーオキシドジスムターゼ、サレン-マンガン錯体、またはそれらの組合せである請求項１記載の活性アニオン性ポリマーラテックス。
【請求項１４】
全モノマー重量に基づき約0.01〜100重量％のエチレン性不飽和の第1のモノマーを含む請求項１記載の活性アニオン性ポリマーラテックス。
【請求項１５】
全モノマー重量に基づき0〜約99.99重量％のエチレン性不飽和の第2のモノマーを含む請求項１記載の活性アニオン性ポリマーラテックス。
【請求項１６】
全モノマー重量に基づき約0.01〜約40重量％の活性添加物を含む請求項１記載の活性アニオン性ポリマーラテックス。
【請求項１７】
全モノマー重量に基づき0〜約25重量％の立体的に嵩高い成分を含む請求項１記載の活性アニオン性ポリマーラテックス。
【請求項１８】
非イオン性界面活性剤をさらに含む請求項１記載の活性アニオン性ポリマーラテックス。
【請求項１９】
ラテックスポリマーが実質的にアニオン性界面活性剤を含まない請求項１記載の活性アニオン性ポリマーラテックス。
【請求項２０】
請求項１記載の活性アニオン性ポリマーラテックスを含むコーティング。
【請求項２１】
請求項１記載の活性アニオン性ポリマーラテックスを含む物品。
【請求項２２】
請求項１記載の活性アニオン性ポリマーラテックスを含む、支持されているかまたは支持されていない手袋。
【請求項２３】
活性アニオン性ポリマーラテックスを製造する方法であって、乳化重合中任意のときに、
a)   少なくとも1種のエチレン性不飽和の第1のモノマー；
b)   場合により、アニオン性またはアニオンへの前駆体である少なくとも1種のエチレン性不飽和の第2のモノマー；
c)   少なくとも1種のアニオン性界面活性剤；
d)  少なくとも1種の活性成分；
e)  少なくとも1種のフリーラジカル開始剤；
f)  場合により、少なくとも1種の立体的に嵩高いエチレン性不飽和の第３のモノマー；
g)  場合により、少なくとも1種の立体的に嵩高いポリマー；および
h)  場合により、少なくとも1種の非イオン性界面活性剤
を含む水性組成物の乳化重合を開始することを含む方法。
【請求項２４】
方法が半連続プロセスであり、かつ乳化重合中任意のときに、少なくとも1種の活性成分がモノマー供給物中に溶解される請求項23記載の活性アニオン性ポリマーラテックスの製造方法。
【請求項２５】
方法がバッチプロセスであり、かつ乳化重合の種段階に少なくとも1種の活性成分が存在する請求項23記載の活性アニオン性ポリマーラテックスの製造方法。
【請求項２６】
水性組成物成分および少なくとも1種の活性成分が、乳化重合を開始する前に分散物として供給される請求項23記載の活性アニオン性ポリマーラテックスの製造方法。
【請求項２７】
少なくとも1種のエチレン性不飽和の第1のモノマーが、ビニル芳香族モノマー、ハロゲン化もしくは非ハロゲン化オレフィンモノマー、脂肪族共役ジエンモノマー、非芳香族不飽和モノカルボン酸エステルモノマー、不飽和アルコキシル化モノエステルもしくはジエステルモノマー、酸無水物モノマーの不飽和ジエステル、窒素含有モノマー、ニトリル含有モノマー、環状もしくは非環状のアミン含有モノマー、分岐もしくは非分岐アルキルビニルエステルモノマー、アリールビニルエステルモノマー、ハロゲン化もしくは非ハロゲン化アルキル（メタ）アクリレートモノマー、ハロゲン化もしくは非ハロゲン化アリール（メタ）アクリレートモノマー、カルボン酸ビニルエステル、酢酸アルケニルエステル、カルボン酸アルケニルエステル、ハロゲン化ビニル、ハロゲン化ビニリデン、またはそれらの組合せ（そのいずれも20個までの炭素原子を有する）である請求項23記載の活性アニオン性ポリマーラテックスの製造方法。
【請求項２８】
少なくとも1種のエチレン性不飽和の第1のモノマーが、スチレン、パラ-メチルスチレン、クロロメチルスチレン、ビニルトルエン、エチレン、ブタジエン、メチル（メタ）アクリレート、エチル（メタ）アクリレート、プロピル（メタ）アクリレート、ブチル（メタ）アクリレート、ペンチル（メタ）アクリレート、グリシジル（メタ）アクリレート、イソデシル（メタ）アクリレート、ラウリル（メタ）アクリレート、（メタ）アクリロニトリル、（メタ）アクリルアミド、N-メチロール（メタ）アクリルアミド、N-（イソブトキシメチル）（メタ）アクリルアミド、ビニルネオデカノエート、ビニルベルサテート、酢酸ビニル、C3-C8アルキルビニルエーテル、C3-C8アルコキシビニルエーテル、塩化ビニル、塩化ビニリデン、フッ化ビニル、フッ化ビニリデン、トリフルオロエチレン、テトラフルオロエチレン、クロロトリフルオロエチレン、ヘキサフルオロプロピレン、クロロトリフルオロエチレン、パーフルオロブチルエチレン、過フッ素化C3-C8アルファ-オレフィン、フッ素化C3-C8アルキルビニルエーテル、過フッ素化C3-C8アルキルビニルエーテル、過フッ素化C3-C8アルコキシビニルエーテル、またはそれらの組合せである請求項23記載の活性アニオン性ポリマーラテックスの製造方法。
【請求項２９】
少なくとも1種のエチレン性不飽和の第2のモノマーが、不飽和ジカルボン酸モノマーの半エステルに基づくモノマー、不飽和モノ-もしくはジカルボン酸モノマー、サルフェート含有モノマー、スルホネート含有モノマー、ホスフェート含有モノマー、ホスホネート含有モノマー、不飽和無水物、酸無水物のモノエステル、またはそれらの任意の組合せ（そのいずれも20個までの炭素原子を有する）である請求項23記載の活性アニオン性ポリマーラテックスの製造方法。
【請求項３０】
少なくとも1種のエチレン性不飽和の第2のモノマーが、（メタ）アクリル酸、マレイン酸、マレイン酸無水物、2-スルホエチル（メタ）アクリレート、スチレンスルホネート、2-アクリルアミド-2-メチルプロパンスルホン酸、マレイン酸モノメチル、イタコン酸、イタコン酸無水物、フマル酸またはそれらの組合せである請求項23記載の活性アニオン性ポリマーラテックスの製造方法。
【請求項３１】
少なくとも1種の立体的に嵩高い成分が、少なくとも1種の立体的に嵩高いエチレン性不飽和の第3のモノマー、少なくとも1種の立体的に嵩高いポリマーまたはそれらの組合せから独立して選択される請求項23記載の活性アニオン性ポリマーラテックスの製造方法。
【請求項３２】
少なくとも1種の立体的に嵩高い成分が：
a)   CH2=C(R1A)COO(CH2CHR2AO)mR3A、ここでR1A, R2AおよびR3Aは、Hもしくは1〜6個（上限値下限値を含む）の炭素原子を有するアルキル基から独立して選択され、mは1〜30（上限値下限値を含む）の整数である；
b)  CH2=C(R1B)COO(CH2CH2O)n(CH2CHR2BO)pR3B、ここでR1B, R2BおよびR3Bは、Hもしくは1〜6個（上限値下限値を含む）の炭素原子を有するアルキル基から独立して選択され、nおよびpは1〜15（上限値下限値を含む）から独立して選択される整数である；
c)  CH2=C(R1C)COO(CH2CHR2CO)q(CH2CH2O)rR3C、ここでR1C, R2CおよびR3Cは、Hもしくは1〜6個（上限値下限値を含む）の炭素原子を有するアルキル基から独立して選択され、qおよびrは1〜15（上限値下限値を含む）から独立して選択される整数である；または
d)  それらの組合せ
である請求項23記載の活性アニオン性ポリマーラテックスの製造方法。
【請求項３３】
少なくとも1種の立体的に嵩高い成分が：
a)   CH2=C(R1A)COO(CH2CHR2AO)mR3A、ここでR1A, R2AおよびR3AはHもしくはメチルから独立して選択され、mは1〜10（上限値下限値を含む）の整数である；
b)  CH2=C(R1B)COO(CH2CH2O)n(CH2CHR2BO)pR3B、ここでR1B, R2BおよびR3BはHもしくはメチルから独立して選択され、nおよびpは1〜10（上限値下限値を含む）から独立して選択される整数である；
c)  CH2=C(R1C)COO(CH2CHR2CO)q(CH2CH2O)rR3C、ここでR1C, R2CおよびR3CはHもしくはメチルから独立して選択され、qおよびrは1〜10（上限値下限値を含む）から独立して選択される整数である；または
d)  それらの組合せ
である請求項23記載の活性アニオン性ポリマーラテックスの製造方法。
【請求項３４】
少なくとも1種の立体的に嵩高い成分が、ジカルボン酸のアルコキシル化モノエステル；ジカルボン酸のアルコキシル化ジエステル；アルキルアリルスルホスクシネート塩；ビニルスルホネート塩；ポリオキシエチレンアルキルフェニルエーテル；ポリオキシエチレンアルキルフェニルエーテル硫酸アンモニウム；重合性界面活性剤；またはそれらの任意の組合せである請求項23記載の活性アニオン性ポリマーラテックスの製造方法。
【請求項３５】
少なくとも1種の立体的に嵩高い成分が、ポリビニルアルコール、ポリビニルピロリドン、ヒドロキシエチルセルロースまたはそれらの誘導体もしくは組合せである請求項23記載の活性アニオン性ポリマーラテックスの製造方法。
【請求項３６】
少なくとも1種の活性成分が、天然の植物に基づく蝋、動物の蝋、天然蝋、合成無機蝋、合成蝋、パラフィン蝋、カルナウバ蝋、オゾケライト蝋、モンタン蝋、ポリオレフィン蝋、カンデリラ蝋、カルナウバ蝋、2個より多い炭素鎖長を含むアルコール、セチルアルコール、ステアリルアルコール、セトステアリルアルコール、ベヘニルアルコール、プロピレングリコール、ミリスチルアルコール、アラキジルアルコール、リグノセリルアルコール、ステアレート、ミリステート、ステアリン酸カルシウム、ステアリン酸亜鉛、ステアリン酸マグネシウムもしくはステアリン酸バリウム、カプリル酸、ペラルゴン酸、カプリン酸、ウンデシル酸、ラウリン酸、パルミチン酸、ベヘン酸、テレフタル酸、フタル酸、イソフタル酸、ナフタレン-2,6-ジカルボン酸、シクロヘキサンジカルボン酸、シクロヘキサン二酢酸、コハク酸、アジピン酸、セバシン酸、ステアリン酸、オレイン酸、ウンデシレン酸、リノール酸、香油、精油、植物油、魚油、パラフィン油および鉱油、ステアラミド、オレアミド、エルカミド、ステアリルステアラミド、ステアリルエルカミド、エチレンビスステアラミド、エチレンビスオレアミド、ココモノエタノールアミド、ココジエタノールアミド、オレインジエタノールアミド、ラウリンジエタノールアミド、ステアリンジエタノールアミド、カプリルアミド、ペラルゴンアミド、カプラミド、ラウラミド、ミリスタミド、パルミタミド、ステアラミド、アラキダミド、ベヘナミド、ステアリルステアラミド、パルミトールアミド、オレアミド、エルカミド、リノールアミド、リノレンアミド、オレイルパルミタミド、ステアリルエルカミド、エルシルエルカミド、オレイルオレアミド、エルシルステアラミド、リシノールアミド、エチレンビスステアラミド、エチレンビスオレアミド、エチレンビス12-ヒドロキシステアラミド、またはそれらの組合せである請求項23記載の活性アニオン性ポリマーラテックスの製造方法。
【請求項３７】
少なくとも1種の活性成分が、酸化チタン、酸化亜鉛、黒酸化鉄、ウルトラマリン、赤酸化鉄、光沢のある顔料、金属効果の顔料、真珠光沢顔料、蛍光顔料、燐光顔料、金属水酸化物、金属酸化物水和物、混合相顔料、染料、硫黄含有シリケート、金属硫化物、錯体メタロ-シアニド、硫酸金属塩、クロム酸金属塩、モリブデン酸金属塩、黄酸化鉄、茶酸化鉄、マンガンバイオレット、スルホケイ酸ナトリウムアルミニウム、酸化クロム水和物、フェロシアン化鉄(III)、コチニール、種子、破砕された種子の堅果殻、ビーズ、ヘチマ粒子、ポリエチレンボール、クレー、カルシウムベントナイト、カオリン、陶土、タルク、パーライト、雲母、バーミキュライト、シリカ、石英粉末、モンモリロナイト、炭酸カルシウム、ナノ材料、タルクまたはそれらの組合せである請求項23記載の活性アニオン性ポリマーラテックスの製造方法。
【請求項３８】
少なくとも1種の活性成分が、ヒアルロン酸、コンドロイチン硫酸、エラスチン、コラーゲン、多糖、グリコサミノグリカン、アスコルビン酸、アスコルビン酸誘導体、グルコサミンアスコルベート、アルギニンアスコルベート、リジンアスコルベート、チロシンアスコルベート、グルタチオンアスコルベート、ニコチンアミドアスコルベート、ナイアシンアスコルベート、アラントインアスコルベート、クレアチンアスコルベート、クレアチニンアスコルベート、コンドロイチンアスコルベート、キトサンアスコルベート、DNAアスコルベート、カルノシンアスコルベート、トコトリエノール、ルチン、ケルセチン、ヘスペレジン、ジオスミン、マンジフェリン、マンゴスチン、シアニジン、アスタキサンチン、ルテイン、リコピン、レスベラトロール、テトラヒドロクルクミン、ローズマリー酸、ヒペリシン、エラグ酸、クロロゲン酸、オレウロペイン、アルファ-リポ酸、ナイアシンアミドリポエート、グルタチオン、アンドログラホリド、カルノシン、ナイアシンアミド、ポリフェノール、ピクノジェノール、ベンゾフェノン、ベンゾトリアゾール、サリチレート、ジベンゾイルメタン、アントラニレート、メチルベンジリデン、オクチルトリアゾン、2-フェニルベンズイミダゾール-5-スルホン酸、オクトクリレン、トリアジン、シンナメート、シアノアクリレート、ジシアノエチレン、エトクリレン、ドロメトリゾールトリシロキサン、ビスエチルヘキシルオキシフェノールメトキシフェノールトリアジン、ドロメトリゾール、ジオクチルブタミドトリアゾン、テレフタリリデンジカンファースルホン酸、パラ-アミノベンゾエート、サリチル酸、ピリチオン亜鉛、ジヒドロキシアセトン、エリトルロース、メラニン、ビタミンCおよびその誘導体、ビタミンAおよびその誘導体、葉酸およびその誘導体、ビタミンEおよびその誘導体、酢酸トコフェリル、フラボン、フラボノイド、ヒスチジン、グリシン、チロシン、トリプトファンおよびその誘導体、カロテノイド、カロテン、尿酸およびその誘導体、クエン酸、乳酸、リンゴ酸；スチルべンおよびその誘導体、ザクロ抽出物、ビタミンK1、ビタミンK2、ビタミンK1オキシド、ビタミンK2オキシド、ホルモン、無機物、草本植物／植物抽出物、抗炎症剤、草本植物抽出物の濃縮物、緩和薬、皮膚保護剤、湿潤剤、シリコーン、肌をなめらかにする成分、鎮痛剤、皮膚浸透促進剤、可溶化剤、緩和薬、アルカロイドおよび加工助剤、染料、顔料、身体用の香料もしくは芳香剤、ハロゲン化銅(I)、ハロゲン化銅(II)、酢酸銅(II)、蟻酸銅(II)、酢酸銅(I)、蟻酸銅(I)、ハロゲン化鉄(II)、ハロゲン化鉄(III)、硫酸鉄(II)、硫酸鉄(III)、システイン、グルタチオン、N-アセチルシステイン、L-アルファ-アセトアミド-ベータメルカプトプロピオン酸、S-ニトロソ-グルタチオン、N-アセチル-3-メルカプト-アラニン、ブチル化ヒドロキシアニソール、ブチル化ヒドロキシトルエン、L-2-オキソチアゾリジン-4-カルボキシレート、デスフェリオキサミン、アロプリノール、スーパーオキシドジスムターゼ、サレン-マンガン錯体、またはそれらの組合せである請求項23記載の活性アニオン性ポリマーラテックスの製造方法。
【請求項３９】
活性アニオン性ポリマーラテックスが、全モノマー重量に基づき約0.01〜100重量％のエチレン性不飽和の第1のモノマーを含む請求項23記載の活性アニオン性ポリマーラテックスの製造方法。
【請求項４０】
活性アニオン性ポリマーラテックスが、全モノマー重量に基づき0〜約99.99重量％のエチレン性不飽和の第2のモノマーを含む請求項23記載の活性アニオン性ポリマーラテックスの製造方法。
【請求項４１】
活性アニオン性ポリマーラテックスが、全モノマー重量に基づき約0.01〜約40重量％の活性添加物を含む請求項23記載の活性アニオン性ポリマーラテックスの製造方法。
【請求項４２】
活性アニオン性ポリマーラテックスが、全モノマー重量に基づき0〜約25重量％の立体的に嵩高い成分を含む請求項23記載の活性アニオン性ポリマーラテックスの製造方法。
【請求項４３】
活性アニオン性ポリマーラテックスが実質的にアニオン性界面活性剤を含まない請求項23記載の活性アニオン性ポリマーラテックスの製造方法。
【請求項４４】
活性アニオン性ポリマーラテックスを製造する方法であって、
a)   i)  少なくとも1種のエチレン性不飽和の第1のモノマー；
ii)  場合により、アニオン性またはアニオンへの前駆体である少なくとも1種のエチレン性不飽和の第2のモノマー；
iii)  少なくとも1種のアニオン性界面活性剤；
iv)  場合により、少なくとも1種の立体的に嵩高いエチレン性不飽和の第３のモノマー；
v)  少なくとも1種のフリーラジカル開始剤；および
vi)   場合により、少なくとも1種の非イオン性界面活性剤
を含む水性組成物を提供すること；
b)   組成物の乳化重合を開始すること；ならびに
c)   乳化重合プロセス中に、少なくとも1種の活性成分を組成物に添加すること
を含む方法。
【請求項４５】
少なくとも1種の活性成分が生物活性である請求項44記載の活性アニオン性ポリマーラテックスを製造する方法。
【請求項４６】
少なくとも1種の活性成分が有機または無機である請求項44記載の活性アニオン性ポリマーラテックスを製造する方法。
【請求項４７】
a)   i)  少なくとも1種のエチレン性不飽和の第1のモノマー；および  
ii)  アニオン性またはアニオンへの前駆体である少なくとも1種のエチレン性不飽和の第2のモノマー
の重合生成物を含むラテックスポリマー；
b)  少なくとも一部ラテックスポリマー内にカプセル封入される少なくとも1種の活性成分；ならびに
c)  場合により、ラテックスポリマー中に組み込まれる少なくとも1種の立体的に嵩高い成分
を含み、抗微生物活性を提供するポリマーラテックス組成物。
【請求項４８】
抗微生物活性が臭いを減じる請求項47記載のポリマーラテックス組成物。
【請求項４９】
発汗抑制組成物、脱臭組成物またはそれらの組合せをさらに含む請求項47記載のポリマーラテックス組成物。
【請求項５０】
組成物が膜を形成することができる請求項47記載のポリマーラテックス組成物。
【請求項５１】
膜が、少なくとも1種の活性成分の放出を制御する請求項50記載のポリマーラテックス組成物。
【請求項５２】
少なくとも1種の活性成分の放出がpHに依存する請求項51記載のポリマーラテックス組成物。
【請求項５３】
ラテックスポリマーが、約15nm〜約5ミクロンの粒径を有する請求項47記載のポリマーラテックス組成物。
【請求項５４】
少なくとも1種のエチレン性不飽和の第1のモノマーが、スチレンおよびブチルアクリレートである請求項47記載のポリマーラテックス組成物。
【請求項５５】
少なくとも1種のエチレン性不飽和の第2のモノマーが、ジメチルアミノエチルメタクリレート、メタクリル酸またはメトキシポリエチレングリコールメタクリレートである請求項47記載のポリマーラテックス組成物。
【請求項５６】
少なくとも1種の活性成分が、少なくとも1種の臭気制御剤、保湿剤、しわ防止もしくは老化防止剤、アクネ防止剤、ふけ防止剤、静電気防止剤、防腐剤、コンディショナー、スタイリング補助剤、キレート化剤、酸化防止剤、紫外線遮断剤、安定剤もしくは吸収剤、肌褐色化剤もしくは日焼け剤、ビタミンもしくはハーブサプリメント、植物抽出物、フリーラジカル除去剤、着色剤、芳香剤または香料である請求項47記載のポリマーラテックス組成物。
【請求項５７】
少なくとも1種の活性成分の少なくとも一部が、分散物としてラテックス組成物に後-添加される請求項56記載のポリマーラテックス組成物。
【請求項５８】
紫外線遮断剤がラテックス組成物中に分散される請求項56記載のポリマーラテックス組成物。
【請求項５９】
少なくとも1種の活性成分が、結合、分散もしくはカプセル封入された紫外線遮断剤であり、酸化亜鉛または酸化チタンをさらに含む請求項56記載のポリマーラテックス組成物。
【請求項６０】
抗微生物活性を有するパーソナルケア製品の使用により細菌を防除することを含む脱臭方法であって、パーソナルケア製品が少なくとも1種のアニオン性ポリマーラテックス組成物を含む前記脱臭方法。
【請求項６１】
少なくとも1種のアニオン性ポリマーラテックス組成物が、少なくとも一部ラテックスポリマー内にカプセル封入される少なくとも1種の活性成分を含む請求項60記載の方法。
【請求項６２】
パーソナルケア製品が、少なくとも1種のプロセス後活性成分をさらに含む請求項60記載の方法。
【請求項６３】
アニオン性ポリマーラテックス組成物が、静電気防止、ふけ防止、防腐、着色、キレート化、酸化防止、芳香、コンディショニング、スタイリング、保湿または日焼け止めの機能を示す少なくとも1種の追加のカプセル封入される活性成分をさらに含む請求項60記載の方法。
【請求項６４】
パーソナルケア製品を、少なくとも1種の生物表面、無生物表面または空気に施与することを含む請求項60記載の方法。
【請求項６５】
パーソナルケア製品が、日焼け止め、ボディウォッシュ、シャンプー、ローションまたは脱臭剤である請求項60記載の方法。
【請求項６６】
脱臭剤が、ロールオン、スティックまたはスプレーである請求項65記載の方法。
【請求項６７】
アニオン性ポリマーラテックス組成物が膜を形成することができる請求項60記載の方法。
【請求項６８】
パーソナルケア製品が、少なくとも700mlの泡の高さを示す請求項60記載の方法。
【請求項６９】
パーソナルケア製品が6〜約7のpHを示す請求項60記載の方法。
【請求項７０】
パーソナルケア製品が約3秒〜約30秒の泡密度を示す請求項60記載の方法。
【請求項７１】
a)   i)  少なくとも1種のエチレン性不飽和の第1のモノマー；および  
ii)  アニオン性またはアニオンへの前駆体である少なくとも1種のエチレン性不飽和の第2のモノマー
の重合生成物を含むラテックスポリマー；
b)  少なくとも一部ラテックスポリマー内にカプセル封入される少なくとも1種の活性成分；ならびに
c)  場合により、ラテックスポリマー中に組み込まれる少なくとも1種の立体的に嵩高い成分
を含む活性アニオン性ポリマーラテックスを含む殺菌剤組成物。
【請求項７２】
少なくとも1種のアルコールをさらに含む請求項71記載の殺菌剤組成物。
【請求項７３】
酸化チタン、酸化亜鉛、黒酸化鉄、ウルトラマリン、赤酸化鉄、光沢のある顔料、金属効果の顔料、真珠光沢顔料、蛍光顔料、燐光顔料、金属水酸化物、金属酸化物水和物、混合相顔料、硫黄含有シリケート、金属硫化物、錯体メタロ-シアニド、硫酸金属塩、クロム酸金属塩、モリブデン酸金属塩、黄酸化鉄、茶酸化鉄、マンガンバイオレット、スルホケイ酸ナトリウムアルミニウム、酸化クロム水和物、フェロシアン化鉄(III)、コチニール、種子、破砕された種子の堅果殻、ビーズ、ヘチマ粒子、ポリエチレンボール、クレー、カルシウムベントナイト、カオリン、陶土、タルク、パーライト、雲母、バーミキュライト、シリカ、石英粉末、モンモリロナイト、炭酸カルシウム、タルクまたはそれらの組合せから選択される少なくとも1種の活性成分をさらに含む請求項71記載の殺菌剤組成物。
【請求項７４】
殺菌剤組成物のpHが4以下である請求項71記載の殺菌剤組成物。
【請求項７５】
殺菌剤組成物のpHが9以上である請求項71記載の殺菌剤組成物。
【発明の詳細な説明】
【技術分野】
【０００１】
本発明は、広く種々の基体、例えばパーソナルケア製品、布地、金属、セルロース材料、プラスチック等と組み合わせて使用することができるポリマー材料の分野、ならびに例えば抗微生物(antimicrobial)、抗細菌（antibacterial）および抗真菌(antifungal)物質を包含する活性剤の分野に関する。本発明はさらに、少なくとも１種の活性成分を含むラテックスポリマーコーティングならびにそのようなラテックス組成物を製造および使用する方法に関する。
【背景技術】
【０００２】
固体基体へのラテックスポリマーコーティングの堆積は、特定の最終用途性能、例えば疎水性、強度、接着性、適合性等をそれらの基体に与えるために長く使用されてきた。出発モノマー、界面活性剤、乳化重合条件および他のパラメータの選択に依存して、堆積されたポリマーは、アニオン性、カチオン性または両性の電荷を帯びるように設計することができ、これはコーティングの性能に直接影響を及ぼす特徴である。さらに、得られるラテックスポリマーは、様々な他の機能性材料とブレンドすることで、最終的なコーティング材料に追加的または高められた特徴を与えることができる。
【０００３】
多くの特許出願において、ラテックスポリマーは、抗微生物特性が特に必要とされる過酷な環境において使用することができるラテックス処方物を提供するために、抗微生物活性を示す生物活性化合物を含む組成物とブレンドすることができる。これら抗微生物成分は通常、ポリマーが製造された後に添加される処方成分として、比較的少量で使用される。そのようなブレンドは有用であるが、一方、これらの組成物が与え得る抗微生物保護の範囲を広くするかまたは制御する試みには、多くの実際的な問題が残っている。例えば、そのような組成物および方法はしばしば、特にそれらの抗真菌特性において、それらを分散させる基体又は材料の長期間の保護を提供するのに不十分である。抗微生物特性を増大させるか、またはさらにうまく制御する方法がまた必要とされる。新たな抗微生物材料、すなわちポリマーを導入することに関連する調節の問題が重要であり得る。さらには、抗微生物特性の有効性を長くするかまたは延長するための取組みは、理解し難いままである。
【発明の概要】
【発明が解決しようとする課題】
【０００４】
したがって、必要なのは、ラテックスポリマーに抗微生物活性を与え、かつそれを高める新しい方法および取組み、ならびにそれから製造されるコーティングおよび物品である。必要なのはまた、そのような材料の抗微生物活性をさらに厳密に管理する方法であり、それには、それらの生物活性の有効性を延長する取組みを含む。
【課題を解決するための手段】
【０００５】
本発明は、ラテックスの特性を向上させかつ制御することができるように、活性成分（限定されないが生物活性な成分を含む）を組み込む新規な方法および取組みを包含する。本明細書においてさらに検討されるように、「活性成分」という語句は、有機成分および無機成分を包含し、所望の最終的な利益を提供する添加物としての広い用語で解釈されるべきである。1つの例として、本発明の活性成分は、限定されないが、抗微生物(antimicrobial)、抗細菌（antibacterial）もしくは抗真菌(antifungal)、抗ウィルスまたは抗寄生虫活性を与える1種以上の生物活性成分を包含する。別の例としては、本発明の活性成分は、限定されないが、1種以上の保湿剤、老化防止剤、UV剤、日焼け剤またはふけ防止剤を包含する。
【０００６】
より明確には、本発明はまた、種々の活性成分を組み込む新規な方法および取組みを包含する。本発明はまた、新しいタイプの活性アニオン性ポリマーラテックス材料に関する。１つの態様においては、この開示は、活性成分、例えば抗微生物成分を、重合プロセス中にラテックス中に組み込む方法を提供する。
【０００７】
別の態様においては、本発明は、
a)  i)  少なくとも1種のエチレン性不飽和の第1のモノマー；および
ii)  アニオン性またはアニオンへの前駆体である少なくとも1種のエチレン性不飽和の第2のモノマー
の重合生成物を含むラテックスポリマー；
b)  少なくとも一部ラテックスポリマー内にカプセル封入される少なくとも1種の活性成分；ならびに
c)  場合により、ラテックスポリマー中に組み込まれる少なくとも1種の立体的に嵩高い成分
を含むポリマーラテックス組成物であって、抗微生物活性を提供する前記組成物を提供する。
【０００８】
別の態様においては、本発明は、抗微生物活性を有するパーソナルケア製品を使用することによって細菌を防除することを含む、脱臭方法を提供する。抗微生物活性は臭いを減じ、発汗抑制組成物と組み合わせることができる。パーソナルケア製品は、膜を形成することができる少なくとも1種のアニオン性ポリマーラテックス組成物を含み得る。少なくとも1種のポリマーラテックス組成物はさらに、少なくとも一部ラテックスポリマー内にカプセル封入される少なくとも1種の活性成分、または少なくとも1種のプロセス後活性成分（post-process active component）、またはそれらの組合せを含み得る。少なくとも1種の追加の活性成分は、静電気防止、ふけ防止、アクネ防止、防腐、着色、キレート化、酸化防止、芳香、コンディショニング、スタイリング、保湿、軟化、疎水/親水、脱毛、防虫または日焼け止めの機能性を示すことができる。パーソナルケア製品は、生物表面、無生物表面または空気に施与することができ、日焼け止め、ボディウォッシュ、シャンプー、ローションまたは脱臭剤として処方され得る。脱臭剤は、ロールオン、スティックまたはスプレーであり得る。
【０００９】
1つの実施形態においては、パーソナルケア製品は、少なくとも700mlの泡の高さ、6〜約7のpH、および約3秒〜約30秒の泡密度を示す。
【００１０】
従来、抗微生物剤は、重合プロセス後に、ラテックス製品のためのまたは塗料のような最終用途のための防腐剤として、比較的少量で、ラテックスに添加されてきた。本発明は、得られるラテックス粒子が活性成分のための担体として機能するように、容易にラテックスに組み込むことができる、疎水性の高い活性成分を含む広範囲の活性成分のより高い濃度の使用を可能にする。このやり方で活性成分を完全に組み込むことは、添加物の実質的に均質な分布を提供することができ、結果として、予め作られた分散物に比べて優れておりかつ持続する性能を生じる。
【００１１】
本発明の1つの態様においては、典型的にはそれぞれの1種以上の活性成分をモノマー流に溶かすことによって、重合中1種以上の活性剤がポリマー中に組み込まれるように、乳化重合が行われる。このやり方で、活性剤をラテックスポリマーマトリックス内に少なくとも一部カプセル封入することができる。1種以上の活性成分を重合プロセス中いつでもモノマー流に添加することができるが、しかし当業者は、ある種の活性成分は、活性成分の完全性および機能を維持するために、重合プロセスにおいて遅く添加することから利益を得ることを認識するであろう。このプロセスにより提供される1つの利点は、それぞれの活性剤が実質的に分解することなく、大量の活性成分（疎水性成分を含む）を組み込むかまたはカプセル封入することができることである。
【００１２】
別の態様においては、本発明はまた、少なくとも1種の活性成分のためのある種の担体として機能するアニオン性ラテックスに基づき、且つ本明細書において開示されるラテックスとブレンドすることができる1種以上の活性添加物を場合によりさらに含む、調整可能な系を提供する。かくして、これらのラテックスは、活性な機能性成分のための担体であること、およびブレンドされる抗微生物組成物の1成分を任意的に構成することの他に、例えば結合、強度および分散特性を提供することのような多機能の目的を有することができる。
【００１３】
1つの態様においては、活性成分が典型的には乳化重合プロセス中にラテックス中に組み込まれるので、これらの活性成分は、ラテックスポリマーマトリックス内に少なくとも一部カプセル封入されることができる。別の態様においては、活性成分は、ラテックスポリマーマトリックス内に実質的にカプセル封入されることができる。1つの理論に縛られることを意図しないが、活性成分を所望の最終用途に送り出すことによって、カプセル封入される活性成分を有するラテックスポリマーは、それらが分散される環境中への活性成分の持続的でかつ制御される暴露を提供することができ、それによって、製品または用途に対し、より長くより有効な保護を提供することができると思われる。さらには、本明細書において記載される両方の活性アニオン性ラテックスが、乳化重合プロセスに存在することによって形成されることができるので、重合方法は有利には、高分子量ポリマーの製造を可能にする。
【００１４】
さらなる態様においては、本明細書に開示される方法はまた、抗微生物活性剤を分散させる取組みの組合せを用いて活性剤の挙動を調整する可能性を提供する。例えば、乳化重合プロセス中に抗微生物成分をラテックスに組み込むこと、および得られたラテックス製品を同じまたは少なくとも1種の異なる抗微生物成分とブレンド中で混合することの両方によって、高度に調整された抗微生物特性を製品に与えることができる。この取り組みは、状況および必要とされる性能に依存して、ポリマー、添加物、または両方を用いて抗微生物特性を選択し、かつ調整することを可能にする。同様に、他の機能性もまた制御することができる。
【００１５】
なおさらなる態様においては、本明細書において開示される技術は、標準の方法により与えられるより多い量の活性成分を、ラテックス組成物中にカプセル封入する能力を提供することができる。例えば、ラテックスポリマーが製造されたなら、抗微生物成分は通常、処方成分として比較的少量で使用され、そのような抗微生物剤は、典型的には約1000〜2000ppmの範囲の濃度で使用される。それに対して、本発明により得られるラテックス組成物の抗微生物成分は、全モノマー重量に基づき約40重量％もの高い濃度で使用することができる。この態様においては、本発明は、そのままもしくは添加物として使用することができる安定な濃縮分散物として、または希釈され、抗微生物保護を必要とする他の系に添加されることができる濃縮分散物として、提供することができる。高い抗微生物成分濃度は柔軟性を提供し、これらのラテックス組成物を濃縮物として使用すること、ならびに非濃縮形態で使用することを保証する。
【００１６】
本明細書において開示される方法は、限定されないが有機または無機の剤を含む任意の活性成分に適用することができるが、本発明は、任意の有益な材料のカプセル封入によって、ラテックス、基体、または特定の最終製品の特性を提供するか、または特性を高めるための方法を包含すると解釈すべきである。1つの例として、本発明は、生物活性剤の特定の選択に依存して、抗微生物活性、抗細菌活性、抗真菌活性、抗ウィルス活性、抗寄生虫活性またはそれらの任意の組合せを含むことができる生物活性ラテックスを包含する。
【００１７】
本明細書において使用されるように、「活性」成分という語は、限定されないが、抗微生物剤、抗細菌剤、抗真菌剤、抗ウィルス剤、抗寄生虫剤、UV剤、医薬品（pharmaceutical）、機能性食品(neutraceutical)、ビタミン、薬用化粧品、化粧品、酸化物、無機物、顔料等を包含する。換言すれば、この語は、得られるラテックス組成物に利益を提供するカプセル封入可能な全ての成分を包含するように使用される。1つの例としては、保湿剤が本発明の活性成分と考えられる。同様に、UV剤が本発明の活性成分と考えられる。かくして、本発明はさらに、保湿剤およびUV剤の両方を組み込むラテックスを包含する。
【００１８】
別の態様においては、本発明は、
a)   次の重合生成物を含むラテックスポリマー：i)  少なくとも1種のエチレン性不飽和の第1のモノマー；およびii)   場合により、アニオン性またはアニオンへの前駆体である少なくとも1種のエチレン性不飽和の第2のモノマー；
b)  少なくとも一部ラテックスポリマー内にカプセル封入される少なくとも1種の生物活性成分；ならびに
c)  場合により、ラテックスポリマー中に組み込まれる少なくとも1種の立体的に嵩高い成分
を含む活性アニオン性ポリマーラテックスを提供する。
【００１９】
別の態様においては、本発明は、
a)   次の重合生成物を含むラテックスポリマー：i)  少なくとも1種のエチレン性不飽和の第1のモノマー；およびii)   場合により、アニオン性またはアニオンへの前駆体である少なくとも1種のエチレン性不飽和の第2のモノマー；
b)  少なくとも一部ラテックスポリマー内にカプセル封入される少なくとも1種の生物活性成分；ならびに
c)  場合により、ラテックスポリマー中に組み込まれる少なくとも1種の立体的に嵩高い成分
を含む生物活性アニオン性ポリマーラテックスを提供する。
【００２０】
それ故、活性という語は、限定されないが、生物活性を包含する。
【００２１】
本開示の本発明のラテックスは、性質がアニオン性であるが、これらのラテックスのアニオン性電荷が、アニオン性またはアニオンへの前駆体であるモノマー、すなわちアニオン性モノマーにより与えられることは必要ではない。例えば、重合性もしくは非重合性であり得るアニオン性開始剤もしくはアニオン性界面活性剤を使用して、アニオン性電荷を本発明のラテックスに導入することができる。したがって、この態様においては、アニオン性またはアニオンへの前駆体である少なくとも1種のエチレン性不飽和の第2のモノマーは、活性アニオン性ポリマーラテックスの任意の特徴として説明される。
【００２２】
1種より多いエチレン性不飽和の第1のモノマーを使用して、第1のモノマー成分を構成するとき、これら第1のモノマーのそれぞれは独立して選択される。同様に、1種より多い、アニオン性またはアニオンへの前駆体であるエチレン性不飽和の第2のモノマー（本明細書では、「アニオン性」モノマーと称される）を使用して、第2のモノマー成分を構成するとき、これら第2のモノマーのそれぞれは独立して選択される。これらの態様においては、広い重量百分率範囲の少なくとも1種の第1のモノマーおよび少なくとも1種の第2のモノマーを本発明において使用することができる。例えばラテックスは、全モノマー重量に基づき約0.01〜100重量％のエチレン性不飽和の第1モノマーを含むことができ、かつラテックスは、全モノマー重量に基づき0〜約99.99重量％のアニオン性またはアニオンへの前駆体であるエチレン性不飽和の第2のモノマーを含むことができる。
【００２３】
さらに、本発明のラテックスはまた、ラテックスを立体的に安定化させるために、アニオン性ポリマーラテックス中に組み込まれる立体的に嵩高い成分を含むことができる。これらの立体的に嵩高い成分としては、限定されないが、以下に示されるようなモノマー、ポリマーおよびそれらの混合物を包含し得る。かくして、アニオン性ポリマーの主鎖の一部に結合するかまたはそれを構成することができるコモノマーとして、モノマーを組み込むことができ、その例は、アルコキシル化エチレン性不飽和の第３のモノマーを包含する。ラテックス表面に吸着するかまたはグラフト重合することによって、ポリマーを組み込むことができ、その例は、ポリビニルアルコールを包含する。
【００２４】
また、ラテックスポリマー中に組み込まれる少なくとも1種の立体的に嵩高い成分は任意成分であるが、本発明はまた、広範囲の量および濃度のこの成分の使用を提供する。かくして、当業者に理解されるように、少なくとも1種の立体的に嵩高い成分を組み込まない活性アニオン性ポリマーラテックスにおいては、ラテックスの安定性は、アニオン性第2モノマーの相対的な割合を増加させることによって、使用される開始剤の量および種類を変えることによって、界面活性剤例えば非イオン性もしくはアニオン性界面活性剤を添加すること等によって、またはそのような方法の任意の組合せによって、向上させることができる。少なくとも1種の立体的に嵩高い成分の存在下では、アニオン性第2モノマーの相対的な割合を減らすか、および／または界面活性剤を排除することができる。
【００２５】
本発明の1つの実施形態においては、
a)   i)  少なくとも1種のエチレン性不飽和の第1のモノマー；および
ii)  アニオン性またはアニオンへの前駆体である少なくとも1種のエチレン性不飽和の第2のモノマー
の重合生成物を含むラテックスポリマー；
b)  少なくとも一部ラテックスポリマー内にカプセル封入される少なくとも1種の活性成分；ならびに
c)  場合により、ラテックスポリマー中に組み込まれる少なくとも1種の立体的に嵩高い成分
を含む殺菌剤組成物を製造することができる。
【００２６】
なお別の態様においては、本発明は、活性アニオン性ポリマーラテックスを製造する方法であって、乳化重合中、任意のときに、
a)   少なくとも1種のエチレン性不飽和の第1のモノマー；
b)   場合により、アニオン性またはアニオンへの前駆体である少なくとも1種のエチレン性不飽和の第2のモノマー；
c)   少なくとも1種のアニオン性界面活性剤；
d)   少なくとも1種の活性成分；
e)   少なくとも1種のフリーラジカル開始剤；
f)   場合により、少なくとも1種の立体的に嵩高いエチレン性不飽和の第３のモノマー；
g)   場合により、少なくとも1種の立体的に嵩高いポリマー；および
h)   場合により、少なくとも1種の非イオン性界面活性剤
を含む水性組成物の乳化重合を開始することを含む方法を提供する。
【００２７】
なお別の態様においては、本発明は、生物活性なアニオン性ポリマーラテックスを製造する方法であって、乳化重合中、任意のときに、
a)   少なくとも1種のエチレン性不飽和の第1のモノマー；
b)   場合により、アニオン性またはアニオンへの前駆体である少なくとも1種のエチレン性不飽和の第2のモノマー；
c)   少なくとも1種のアニオン性界面活性剤；
d)   少なくとも1種の生物活性成分；
e)   少なくとも1種のフリーラジカル開始剤；
f)  場合により、少なくとも1種の立体的に嵩高いエチレン性不飽和の第３のモノマー；
g)  場合により、少なくとも1種の立体的に嵩高いポリマー；および
h)   場合により、少なくとも1種の非イオン性界面活性剤
を含む水性組成物の乳化重合を開始することを含む方法を提供する。
【００２８】
この態様においては、本発明のアニオン性ラテックスは正味負の電荷を有するので、アニオン性ラテックスが任意の第2アニオンモノマーの不在下で製造されるとき、ラテックスの全体の負の電荷は、フリーラジカル開始剤によって、アニオン性界面活性剤によって、アニオン性の立体的に嵩高い成分によって、またはそれらの任意の組合せによって、与えられ得る。
【００２９】
本発明の1つの態様においては、少なくとも1種の活性成分は、乳化重合プロセス中任意のときにモノマー供給物中に溶解させることができる。さらに、別の態様においては、水性組成物成分および少なくとも1種の活性成分を、乳化重合を開始する前に分散物として供給することができる。このように本発明は、少なくとも1種の活性成分が種（seed）段階で存在する、バッチプロセスを提供する。この態様においては、乳化重合は、少なくとも1種の活性成分を含む組成物の全成分が開始時から存在するときに、開始される。さらに本発明はまた、組成物の全成分が開始時から存在しないが、重合開始後の種々の時間にいくらかが添加されるときに乳化重合が一度に開始される、半連続プロセスを提供する。この態様においては、例えば、少なくとも1種の活性成分は、種段階後の任意のときに添加することができる。別の態様においては、例えば、乳化重合を開始し、ポリマーを伸長（propagate）させるのに必要とされるあらゆる成分の全量の少なくとも一部を除いて、上記で提供された任意の他の成分または成分の組合せを、種段階後の任意のときに添加することができる。かくして、本明細書において提供される活性アニオン性ラテックスは、任意の種々のバッチによって、または半連続プロセスによって作ることができる。
【００３０】
1つの態様においては、本発明の活性ラテックスは、人工のボールおよびソケットジョイント、ロッド、ステント、歯科用インプラント、ピン、スクリュー、カテーテル等を含む医療用インプラントに適用できるコーティングとして提供または使用することができる。そのようなコーティングはまた、日用品の表面、例えばエア-コンディショニングコイル、エアフィルター、パイプ、屋根、浴室用品、台所用品等に供給することができる。そのようなコーティングは、乗り物ならびに家屋、病院および他の建物において、微生物感染、例えば細菌およびカビの感染を防ぐことができる。得られる生成物のさらなる使用例は、水性分散液としての使用、または例えば冷却水回路を滅菌するための粉末形態での直接的使用、もしくは例えば塗料もしくは他の表面コーティングへの添加による間接的使用である。
【００３１】
別の態様においては、本発明の活性ラテックスは、パーソナルケア製品、医薬品、薬用化粧品または機能性食品の用途に提供または使用することができる。限定されない例としては、臭気抑制剤、保湿剤、しわ防止剤および老化防止剤、アクネ防止剤、ふけ防止剤、静電気防止剤、防腐剤、コンディショナー、スタイリング補助剤、キレート化剤、酸化防止剤、紫外線遮断剤および吸収剤、肌褐色化剤もしくは日焼け剤、ビタミンおよびハーブサプリメント、植物抽出物、フリーラジカル除去剤、着色剤、芳香剤および香料のために提供または使用することができる。さらには、本発明の活性ラテックスは、そのような用途の包装において使用することができる。
【００３２】
これらおよび他の本発明の特徴、態様、実施形態および利点は、以下の発明の詳細な説明の検討後に明らかになるであろう。しかしながら、これらの態様、実施形態および実施例は、例示の目的のためだけに提供され、いかなるやり方でもその範囲を限定すると解釈されるべきではないと理解すべきである。さらに本発明は、本明細書において提供される実施形態及び態様の組合せを含む。
【発明を実施するための形態】
【００３３】
発明の詳細な説明
本発明は、広範囲の種々の最終用途、例えば限定されないが、皮膚および毛髪用製品、医薬品、薬用化粧品、機能性食品を含むパーソナルケア製品において、または布地、金属、セルロース材料、プラスチック等へのコーティングとして使用することができる新規なラテックスポリマー材料であって、ポリマー材料がラテックスポリマー中に組み込まれた活性成分を含む、新規なラテックスポリマー材料を提供する。本発明はまた、高濃度の活性成分、例えば抗真菌剤を乳化重合中に組み込むことを可能にする新規な方法およびプロセスを提供する。1つの態様においては、例えば開示されたプロセスは、乳化重合中、全モノマー重量に基づき約0.01〜約40％（”phm”またはモノマー100重量部当たりの重量部）の実質的に疎水性の成分を組み込むために使用することができる。活性成分は、種形成段階中ごく初期を含む重合プロセス中任意の段階で導入することができるが、1つの態様においては、生物活性成分または添加物を、重合プロセスの遅い段階中に、例えば約30〜約90％のモノマーが重合反応器中に供給されたときに、添加することができる。
【００３４】
有用な活性添加物は、固体、液体またはそれらの組合せであることができる。本発明において使用することができる多くの活性添加物は、実質的に水に不溶性であるか、または水に限られた溶解性を有する。この態様においては、典型的な水不溶性の疎水性活性剤は、乳化重合において使用されるモノマーの少なくとも1種に可溶性であり得る。かくして、典型的な疎水性活性成分は、適当なときに、供給されるモノマー中にそれを実質的にまたは一部溶かすことによって、重合反応器中に導入することができる。したがって、1つの例として、抗微生物特性を与えるために選択される典型的成分は通常、ポリマーラテックスを製造するために使用されるモノマー中に可溶性である。別の態様においては、本発明において有用な活性添加物はまた、実質的に水溶性であることができ、その1例としては、o-フェニルフェネート（脱プロトンされたo-フェニルフェノール）および同様の剤を包含する。この態様においては、そのような親水性の活性添加物が、重合されるべきモノマーに可溶性であることは必要ない。
【００３５】
別の態様においては、活性成分が、使用されるモノマーの少なくとも1種に可溶性であることは必要とされない。というのは、これらの成分はまた、予め作られた分散物として水に添加することができるからである。この態様においては、とりわけ、比較的濃縮された量の添加物を使用し、界面活性剤、分散剤等を使用することにより、かつ典型的には混合装置例えば高速ミキサー、ホモジナイザー、Eppenbachミキサーまたは同様の装置を使用することにより分散させることによって、分散物を作ることができる。そのような場合には、分散物は反応器に供給されて、適当な量の活性成分をラテックス中に送達することができる。
【００３６】
1つの態様においては、本発明は、
a)   次の重合生成物を含むラテックスポリマー：i)  少なくとも1種のエチレン性不飽和の第1のモノマー； ii)  場合により、アニオン性またはアニオンへの前駆体である少なくとも1種のエチレン性不飽和の第2のモノマー；
b)  少なくとも一部ラテックスポリマー内にカプセル封入される少なくとも1種の活性成分；ならびに
c)  場合により、ラテックスポリマー中に組み込まれる少なくとも1種の立体的に嵩高い成分
を含む活性アニオン性ポリマーラテックスを包含する。
【００３７】
1つの態様においては、本発明は、
a)   次の重合生成物を含むラテックスポリマー：i)  少なくとも1種のエチレン性不飽和の第1のモノマー；ii)  場合により、アニオン性またはアニオンへの前駆体である少なくとも1種のエチレン性不飽和の第2のモノマー；
b)  少なくとも一部ラテックスポリマー内にカプセル封入される少なくとも1種の生物活性成分；ならびに
c)  場合により、ラテックスポリマー中に組み込まれる少なくとも1種の立体的に嵩高い成分
を含む生物活性アニオン性ポリマーラテックスを包含する。
【００３８】
本明細書において提供されるように、ラテックスポリマー中に組み込まれる少なくとも1種の立体的に嵩高い成分は、少なくとも1種の立体的に嵩高いエチレン性不飽和の第３のモノマー、少なくとも1種の立体的に嵩高いポリマーまたはそれらの任意の組合せから、独立して選択することができる。これらの成分、ならびに任意または追加の成分のそれぞれが、本明細書において考慮される。
【００３９】
本発明の1つの実施形態においては、
a)  次の重合生成物を含むラテックスポリマー：
i)  少なくとも1種のエチレン性不飽和の第1のモノマー；および
ii)  アニオン性またはアニオンへの前駆体である少なくとも1種のエチレン性不飽和の第2のモノマー；
b)  少なくとも一部ラテックスポリマー内にカプセル封入される少なくとも1種の活性成分；ならびに
c)  場合により、ラテックスポリマー中に組み込まれる少なくとも1種の立体的に嵩高い成分を含む、殺菌剤組成物を製造することができる。
【００４０】
殺菌剤組成物は、少なくとも1種のアルコールならびに以下から選択される少なくとも1種の活性成分のような種々の殺菌剤をさらに含むことができる：酸化チタン、酸化亜鉛、黒酸化鉄、ウルトラマリン、赤酸化鉄、光沢のある顔料、金属効果の顔料、真珠光沢顔料、蛍光顔料、燐光顔料、金属水酸化物、金属酸化物水和物、混合相顔料、硫黄含有シリケート、金属硫化物、錯体メタロ-シアニド、硫酸金属塩、クロム酸金属塩、モリブデン酸金属塩、黄酸化鉄、茶酸化鉄、マンガンバイオレット、スルホケイ酸ナトリウムアルミニウム、酸化クロム水和物、フェロシアン化鉄(III)、コチニール、種子、破砕された種子の堅果殻、ビーズ、ヘチマ粒子、ポリエチレンボール、クレー、カルシウムベントナイト、カオリン、陶土、パーライト、雲母、バーミキュライト、シリカ、石英粉末、モンモリロナイト、炭酸カルシウム、ナノ材料、例えばクレーもしくは酸化物、タルクまたはそれらの組合せ。殺菌剤は、ラテックスポリマーに、後-添加（post-added）することができる。
【００４１】
殺菌剤組成物はさらに、種々の一般的な殺菌化合物、例えば４級アンモニウム化合物、フェノールおよびアルコールならびに、家庭の清掃に使用される界面活性剤または溶媒を含むことができ、それにはグリコールエーテル、アルコール、塩素化溶媒、例えば塩化メチレン、ならびに石油誘導体溶媒が含まれる。無機洗剤ビルダー、例えばホスフェート、シリケート、カーボネートおよびゼオライトもまた添加し得る。組み合わせたとき、活性成分は長期間の殺菌活性を提供することができるが、殺菌化合物は短期間の殺菌活性を提供し得る。殺菌剤組成物のpHは、4以下であるか、または9以上であることができる。
【００４２】
別の態様においては、本発明はまた、活性アニオン性ポリマーラテックスを製造する方法であって、乳化重合中任意のときに、
a)   少なくとも1種のエチレン性不飽和の第1のモノマー；
b)   場合により、アニオン性またはアニオンへの前駆体である少なくとも1種のエチレン性不飽和の第2のモノマー；
c)   少なくとも1種のアニオン性界面活性剤；
d)   少なくとも1種の活性成分；
e)   少なくとも1種のフリーラジカル開始剤；
f)  場合により、少なくとも1種の立体的に嵩高いエチレン性不飽和の第３のモノマー； 
g)  場合により、少なくとも1種の立体的に嵩高いポリマー；および
h)   場合により、少なくとも1種の非イオン性界面活性剤
を含む水性組成物の乳化重合を開始することを含む方法を包含する。
【００４３】
なお別の態様においては、本発明は、生物活性アニオン性ポリマーラテックスを製造する方法であって、乳化重合中任意のときに、
a)   少なくとも1種のエチレン性不飽和の第1のモノマー；
b)   場合により、アニオン性またはアニオンへの前駆体である少なくとも1種のエチレン性不飽和の第2のモノマー；
c)   少なくとも1種のアニオン性界面活性剤；
d)   少なくとも1種の生物活性成分；
e)   少なくとも1種のフリーラジカル開始剤；
f)  場合により、少なくとも1種の立体的に嵩高いエチレン性不飽和の第３のモノマー；
g)  場合により、少なくとも1種の立体的に嵩高いポリマー；および
h)   場合により、少なくとも1種の非イオン性界面活性剤
を含む水性組成物の乳化重合を開始することを含む方法を包含する。
【００４４】
なお別の態様においては、本発明は、活性アニオン性ポリマーラテックスを製造する方法であって、
a)   i)  少なくとも1種のエチレン性不飽和の第1のモノマー；
ii)  場合により、アニオン性またはアニオンへの前駆体である少なくとも1種のエチレン性不飽和の第2のモノマー；
iii)   少なくとも1種のアニオン性界面活性剤；
iv)   場合により、少なくとも1種の立体的に嵩高いエチレン性不飽和の第３のモノマー；
v)  少なくとも1種のフリーラジカル開始剤；および
vi)  場合により、少なくとも1種の非イオン性界面活性剤
を含む水性組成物を提供すること；
b)   組成物の乳化重合を開始すること；ならびに
c)   乳化重合プロセス中に、少なくとも1種の活性成分を組成物に添加すること
を含む方法を提供する。
【００４５】
別の態様においては、本発明は、生物活性アニオン性ポリマーラテックスを製造する方法であって、
a)   i)  少なくとも1種のエチレン性不飽和の第1のモノマー；
ii)  場合により、アニオン性またはアニオンへの前駆体である少なくとも1種のエチレン性不飽和の第2のモノマー；
iii)   少なくとも1種のアニオン性界面活性剤；
iv)   場合により、少なくとも1種の立体的に嵩高いエチレン性不飽和の第３のモノマー；
v)  少なくとも1種のフリーラジカル開始剤；および
vi)  場合により、少なくとも1種の非イオン性界面活性剤
を含む水性組成物を提供すること；
b)   組成物の乳化重合を開始すること；ならびに
c)   乳化重合プロセス中に、少なくとも1種の生物活性成分を組成物に添加すること
を含む方法を提供する。
【００４６】
この態様においては、典型的には少なくとも1種のアニオン性界面活性剤が使用されて、活性アニオン性ポリマーラテックスが製造される。使用される少なくとも1種のアニオン性界面活性剤は、エチレン性不飽和の第2のモノマーも構成しないアニオン性界面活性剤の形態であることができるか、または少なくとも1種のアニオン性界面活性剤は、アニオン性もしくはアニオンへの前駆体であるエチレン性不飽和の第2のモノマーであることができる。後者の場合には、アニオン性またはアニオンへの前駆体である第2のモノマーは、エチレン性不飽和の第2のモノマーとして、かつアニオン性界面活性剤としてのいずれでも機能する。いずれにせよ、任意の第2のアニオン性モノマーの不在下でアニオン性ラテックスが製造されるときには、ラテックスの全体の負の電荷は、フリーラジカル開始剤によって、アニオン性界面活性剤によって、アニオン性の立体的に嵩高い成分によって、またはそれらの任意の組合せによって、ラテックスに与えられ得る。
【００４７】
エチレン性不飽和の第1のモノマーおよび立体的に嵩高い成分として使用できる多くの化合物が、欧州特許 EP 1109845 および対応するPCT 国際公開 WO 00/8008077に開示されており、それらの各開示は、その全部が、引用することによって本明細書に組み入れられる。
【００４８】
エチレン性不飽和の第1のモノマー
種々のエチレン性不飽和の第1のモノマーを、本発明のラテックスにおいて使用することができる。適当な第1のモノマーの例は、少なくとも米国特許第5,830,934号, 米国特許出願公開第2005/0065284号および2005/0003163号, ならびに欧州特許 EP 1109845（全てKrishnanによる）において見出すことができ、それらの各開示は、その全部が、引用することによって本明細書に組み入れられる。この態様においては、そのようなモノマーの例としては、限定されないが、ビニル芳香族モノマー、ハロゲン化もしくは非ハロゲン化オレフィンモノマー、脂肪族共役ジエンモノマー、非芳香族不飽和モノ-もしくはジカルボン酸エステルモノマー、不飽和アルコキシル化されたモノエステルもしくはジエステルモノマー、酸無水物モノマーの不飽和ジエステル、、窒素含有モノマー、ニトリル含有モノマー、環状もしくは非環状のアミン含有モノマー、分岐もしくは非分岐アルキルビニルエステルモノマー、アリールビニルエステルモノマー、ハロゲン化もしくは非ハロゲン化アルキル（メタ）アクリレートモノマー、ハロゲン化もしくは非ハロゲン化アリール（メタ）アクリレートモノマー、カルボン酸ビニルエステル、酢酸アルケニルエステル、カルボン酸アルケニルエステル、ハロゲン化ビニル、ハロゲン化ビニリデン、またはそれらの任意の組合せを包含し、そのいずれも20個までの炭素原子を有する。かくして、エチレン性不飽和の第1のモノマーは、反応および後処理手順において、アニオン性でないかまたはアニオンへの前駆体でないモノマーから選択される。
【００４９】
この態様においては、出願人は、アクリレートおよびメタアクリレート部分のいずれかの部分が適当なモノマーに開示されているとき、アクリレートおよびメタアクリレート部分の両方を開示することを意図している。かくして、アクリレートモノマーが適当なエチレン性不飽和の第1のモノマーであるという開示はまた、対応するメタクリレートモノマーもまた適当な第1のモノマーであるという開示を包含する。略語（メタ）アクリレートは、そのような開示を表すために使用することができる。
【００５０】
多くの異なるエチレン性不飽和の第1のモノマーを、本発明の活性ラテックスを製造するのに使用できる。1つの態様においては、エチレン性不飽和の第1のモノマーの適当な例としては、限定されないが、スチレン、パラ-メチルスチレン、クロロメチルスチレン、ビニルトルエン、エチレン、ブタジエン、メチル（メタ）アクリレート、エチル（メタ）アクリレート、プロピル（メタ）アクリレート、ブチル（メタ）アクリレート、ペンチル（メタ）アクリレート、グリシジル（メタ）アクリレート、イソデシル（メタ）アクリレート、ラウリル（メタ）アクリレート、（メタ）アクリロニトリル、（メタ）アクリルアミド、N-メチロール（メタ）アクリルアミド、N-（イソブトキシメチル）（メタ）アクリルアミド、ビニルネオデカノエート、ビニルベルサテート(versatates)、酢酸ビニル、C3-C8アルキルビニルエーテル、C3-C8アルコキシビニルエーテル、塩化ビニル、塩化ビニリデン、フッ化ビニル、フッ化ビニリデン、トリフルオロエチレン、テトラフルオロエチレン、クロロトリフルオロエチレン、ヘキサフルオロプロピレン、クロロトリフルオロエチレン、パーフルオロブチルエチレン、過フッ素化C3-C8アルファ-オレフィン、フッ素化C3-C8アルキルビニルエーテル、過フッ素化C3-C8アルキルビニルエーテル、過フッ素化C3-C8アルコキシビニルエーテル等、またはそれらの任意の組合せを包含する。かくして、適当なエチレン性不飽和の第1のモノマーのハロゲン化類縁体はこの開示に包含され、出願人は、フッ素置換類縁体、塩素置換類縁体、臭素置換類縁体およびヨウ素置換類縁体を含む、これらのモノマーの任意のかつ全てのハロゲン置換された類縁体もしくは誘導体を開示するものである。「ハロゲン置換された」という語は、部分的にハロゲン置換されたものおよび過剰にハロゲン置換されたものを含むことを意味し、ここで、任意のハロゲン置換基は同じまたは異なることができる。この態様においてはなお、出願人は、アクリレートおよびメタアクリレートのいずれかの部分が適当なモノマーにおいて開示されるとき、アクリレートおよびメタアクリレート部分の両方を開示することを意図している。
【００５１】
別の態様においては、エチレン性不飽和の第1のモノマーは、ハロゲン化されることができるか、またはハロゲン化されないことができる。同様に、エチレン性不飽和の第1のモノマーは、フッ素化されることができるか、またはフッ素化されないことができる。例えばアルキルアクリレートまたはメタアクリレートのフッ素化された類縁体ならびにフッ素化されない化合物を使用することができる。エチレン性不飽和の第1のモノマーはまた、塩素化されることができるか、または塩素化されないことができる。エチレン性不飽和の第1のモノマーはまた、臭素化されることができるか、または臭素化されないことができる。エチレン性不飽和の第1のモノマーはまた、ヨウ素化されることができるか、またはヨウ素化されないことができる。例えば、アルキルアクリレートまたはメタアクリレートのフッ素化された類縁体ならびにフッ素化されない化合物を使用することができる。
【００５２】
本発明のなお別の態様においては、本明細書において提供されるラテックスは、全モノマー重量に基づき、約0.01〜約100重量％のエチレン性不飽和の第1のモノマーを含むことができる。この態様においては、本発明のラテックスはまた、全モノマー重量に基づき、約0.1〜約99.9重量％、約1〜約99重量％、約5〜約98重量％、約10〜約95重量％、約25〜92重量％、約35〜約90重量％、約50〜約87重量％、または約65〜約85重量％のエチレン性不飽和の第1のモノマーを含むことができる。この態様においては、出願人は、そのような範囲ならびにそれに包含される下位の範囲および下位の範囲の組合せが正当に含み得る、独立してそれぞれ可能な数を開示することを意図している。少なくとも1種のエチレン性不飽和の第1のモノマーの好適な重量範囲は、当業者には明らかなように、その材料の設計的特性および意図される用途と相関関係がある。
【００５３】
エチレン性不飽和アニオン性の第2のモノマー
なお別の態様においては、本発明のラテックスポリマーはまた、アニオン性またはアニオンへの前駆体である少なくとも1種のエチレン性不飽和の第2のモノマーの重合生成物を含む。本明細書において提供されるように、少なくとも1種のエチレン性不飽和の第2のモノマーは、ひとまとめにして「アニオン性モノマー」という語によって言及することができ、すなわち負の電荷を有するかまたは負の電荷を有するようにされ得る任意のモノマーである。1つの態様においては、この負の電荷は、加水分解および容易に脱プロトンされる酸官能性の形成の結果として、または負に荷電する部分を生じ得る当業者に公知の別の反応によって、与えられ得る。そのような反応、例えば加水分解反応は、乳化重合プロセスにおいて任意の段階で、例えば成分モノマーにおいて、オリゴマーにおいて、生じるポリマーにおいて、またはそれらの任意の組合せにおいて、起こり得る。別の態様においては、負の電荷は、ラテックスポリマーを製造するのに使用される成分モノマーにおいて予め存在する酸もしくは塩官能性から生じることができる。アニオン性モノマーは典型的には、それのエチレン性不飽和によって、ラテックスポリマー中に組み込まれる。
【００５４】
適当なアニオン性モノマーの例は、少なくとも米国特許出願公開第2005/0065284号および2005/0003163号（全てKrishnanによる）に見出すことができる。この態様においては、適当なアニオン性モノマーの例は、限定されないが、不飽和ジカルボン酸モノマーの半エステルに基づくモノマー、不飽和モノ-もしくはジカルボン酸モノマー、サルフェート含有モノマー、スルホネート含有モノマー、ホスフェート含有モノマー、ホスホネート含有モノマー、不飽和無水物、酸無水物のモノエステル、またはそれらの任意の組合せを包含し、そのいずれも20個までの炭素原子を有する。1種より多いエチレン性不飽和の第2のモノマーを使用してアニオン性モノマー成分を構成するとき、各アニオン性モノマーは独立して選択される。
【００５５】
さらに、本発明のラテックスにおいて使用できるエチレン性不飽和アニオン性モノマーの適当な例は、限定されないが、ジメチルアミノエチルメタクリレート、メトキシポリエチレングリコールメタクリレート、（メタ）アクリル酸、マレイン酸、マレイン酸無水物、2-スルホエチル（メタ）アクリレート、スチレンスルホネート、2-アクリルアミド-2-メチルプロパンスルホン酸、モノメチルマレート、イタコン酸、イタコン酸無水物、フマル酸、またはそれらの任意の組合せを包含する。
【００５６】
第1のモノマーについて記載されたように、適当なエチレン性不飽和の第2のモノマーのハロゲン化類縁体がまた、この開示に包含され、出願人は、フッ素置換類縁体、塩素置換類縁体、臭素置換類縁体およびヨウ素置換類縁体を含む、これらのモノマーの任意のかつ全ての適当なハロゲン置換された類縁体もしくは誘導体を開示することを意図している。「ハロゲン置換された」という語は、部分的にハロゲン置換されたものおよび過剰にハロゲン置換されたものを含むことを意味し、ここで、任意のハロゲン置換基は同じまたは異なることができる。この態様においてはなお、出願人は、アクリレートおよびメタアクリレートのいずれかの部分が適当なモノマーにおいて開示されるとき、アクリレートおよびメタアクリレート部分の両方を開示することを意図している。
【００５７】
さらなる態様においては、本発明のラテックスポリマーは、全モノマー重量に基づき0〜約99.99重量％のアニオン性またはアニオンへの前駆体であるエチレン性不飽和の第2のモノマーを含むことができる。この態様においては、本発明のラテックスはまた、全モノマー重量に基づき約0.01〜約99重量％、約0.1〜約98重量％、約0.5〜約95重量％、約1〜約90重量％、約2〜約80重量％、約3〜約70重量％、約4〜約60重量％、約5〜約50重量％、約7〜約40重量％、約10〜約30重量％、または約15〜約25重量％のアニオン第2モノマーを含むことができる。この態様においては、出願人は、そのような範囲ならびにそれに包含される任意の下位の範囲および下位の範囲の組合せが正当に含み得る、独立してそれぞれ可能な数を開示することを意図している。
【００５８】
立体的に嵩高い成分
本明細書に開示されるように、本発明の1つの態様は、a)  本明細書に開示されるラテックスポリマー；b)  少なくとも一部ラテックスポリマー内にカプセル封入される少なくとも1種の活性成分；およびc)  場合により、ラテックスポリマー中に組み込まれる少なくとも1種の立体的に嵩高い成分を含むアニオン性ポリマーラテックスを包含する。別の態様においては、本発明は、a)  本明細書に開示されるラテックスポリマー；b)  少なくとも一部ラテックスポリマー内にカプセル封入される少なくとも1種の活性成分；およびc)  場合により、ラテックスポリマー中に組み込まれる少なくとも1種の立体的に嵩高い成分を含むアニオン性ポリマーラテックスを包含する。なお別の態様においては、本発明は、a)  本明細書に開示されるラテックスポリマー；b)  少なくとも一部ラテックスポリマー内にカプセル封入される少なくとも1種の生物活性成分；およびc)  場合により、ラテックスポリマー中に組み込まれる少なくとも1種の立体的に嵩高い成分を含むアニオン性ポリマーラテックスを包含する。
【００５９】
ラテックスポリマー中に組み込まれる少なくとも1種の立体的に嵩高い成分は、少なくとも1種の立体的に嵩高いエチレン性不飽和の第3のモノマー、少なくとも1種の立体的に嵩高いポリマーまたはそれらの任意の組合せから独立して選択することができる。この態様においては、理論に縛られることを意図しないが、この立体的に嵩高い成分は典型的には、アニオン性ポリマーラテックス中に組み込まれて、ラテックスを立体的に安定化させる。
【００６０】
本明細書において使用されるように、少なくとも1種の立体的に嵩高いエチレン性不飽和の第3のモノマーの使用に関して「組み込まれる」という語は、限定されないが、例えば第3のモノマーと本明細書に開示される第1のモノマーおよび任意の第2のモノマーとの共重合によって、この第3のモノマーをアニオン性ポリマーに付加して、アニオン性ポリマーラテックスを形成させることを包含する。さらに、少なくとも1種の立体的に嵩高いエチレン性不飽和の第3のモノマーに関して「組み込まれる」という語はまた、この第3のモノマーを、アニオン性ポリマーに、任意の他の様式で、例えばポリマー主鎖にグラフト重合させることによって、付加することを含むことができる。別の態様においては、少なくとも1種の立体的に嵩高いポリマーの使用に関して「組み込まれる」という語は、限定されないが、このポリマーを、ラテックス中に、限定されないが、立体的に嵩高いポリマーをラテックス表面に吸着もしくはグラフト重合させることを含む方法によって、付加または会合させることを含む。例えば、ポリビニルアルコールは、このやり方でラテックス中に組み込むことができる。この立体的安定化成分は、アニオン性ポリマーラテックスの堆積特性に影響を及ぼすことなくラテックス粒子に立体的安定性を組み込む、非イオンモノマーまたは非イオンポリマーを包含することができる。
【００６１】
立体的に嵩高いエチレン性不飽和の第3のモノマーとして使用することができる典型的なモノマーは、限定されないが、アルコキシル化（例えばエトキシル化またはプロポキシル化）官能性を含むエチレン性不飽和モノマーを包含する。1つの態様においては、そのようなモノマーの例としては、限定されないが、以下から独立して選択される少なくとも1種の立体的に嵩高いエチレン性不飽和化合物が含まれる：
a)   CH2=C(R1A)COO(CH2CHR2AO)mR3A、ここでR1A, R2AおよびR3Aは、Hもしくは1〜6個（上限値下限値を含む）の炭素原子を有するアルキル基から独立して選択され、mは1〜30（上限値下限値を含む）の整数であることができる。この態様においては、R1A, R2A, およびR3AはまたHもしくはメチルから独立して選択され、mは1〜10（上限値下限値を含む）の整数であることができる；
b)  CH2=C(R1B)COO(CH2CH2O)n(CH2CHR2BO)pR3B、ここでR1B, R2BおよびR3Bは、Hもしくは1〜6個（上限値下限値を含む）の炭素原子を有するアルキル基から独立して選択され、nおよびpは1〜15（上限値下限値を含む）から独立して選択される整数であることができる。この態様においてはまた、R1B, R2BおよびR3BはHもしくはメチルから独立して選択され、nおよびpは1〜10（上限値下限値を含む）から独立して選択される整数であることができる；
c)  CH2=C(R1C)COO(CH2CHR2CO)q(CH2CH2O)rR3C、ここでR1C, R2CおよびR3Cは、Hもしくは1〜6個（上限値下限値を含む）の炭素原子を有するアルキル基から独立して選択され、qおよびrは1〜15（上限値下限値を含む）から独立して選択される整数であることができる。この態様に対してさらには、R1C, R2CおよびR3CはHもしくはメチルから独立して選択され、qおよびrは1〜10（上限値下限値を含む）から独立して選択される整数であることができる；または
d)  これらの化合物のいずれかの任意の組合せ。
【００６２】
本発明の別の態様においては、多数の他のタイプの不飽和化合物を、立体的に嵩高いエチレン性不飽和の第3のモノマーとして使用することができ、限定されないが、重合性の界面活性剤が含まれる。かくして、適当な立体的に嵩高いエチレン性不飽和の第3のモノマーのさらなる例は、限定されないが、ジカルボン酸のアルコキシル化モノエステル；ジカルボン酸のアルコキシル化ジエステル；アルキルアリルスルホスクシネート塩；ビニルスルホネート塩；ポリオキシエチレンアルキルフェニルエーテル、例えばNOIGEN RN（商標）；ポリオキシエチレンアルキルフェニルエーテル硫酸アンモニウム、例えばHITENOL BC（商標）；またはそれらの任意の組合せを包含する。この態様においては、例えば二価酸、例えばマレイン酸およびイタコン酸のエトキシル化モノ-およびジエステルをまた使用して、所望の安定化効果を達成することができる。界面活性剤のアクリレート、メタクリレート、ビニルおよびアリル類縁体（重合性の界面活性剤と称される）をまた、このやり方で使用できる。そのような重合性の界面活性剤の例は、限定されないが、Cognisにより販売されるTREM LF-40（商標）を含む。1つの態様においては、これらの界面活性剤は、界面活性剤をラテックスポリマー自体の中に組み込むことを可能にするエチレン性不飽和を有すること、ならびに様々な疎水性および親水性の官能性を有することにおいて典型的である。別の態様においては、本発明に特に適用可能な界面活性剤は、非イオン性界面活性剤を含み、ここでは、疎水性の特性がアルキレンオキシド基の存在に起因すると思われる。適当な非イオン性界面活性剤の例は、限定されないが、エチレンオキシド、プロピレンオキシド、ブチレンオキシド等から誘導される部分を含む。そのような種においては、親水性の程度は、官能性の選択に基づいて変化し得る。
【００６３】
ラテックスポリマー中に組み込まれる少なくとも1種の立体的に嵩高い成分はまた、少なくとも1種のポリマーを構成することができる。さらに、理論に縛られることを意図しないが、そのようなポリマーは得られるラテックスポリマーに立体安定性を提供すると考えられる。そのようなポリマーは時には、この技術分野では、保護コロイドと呼ばれる。立体的に嵩高いポリマーの例は、限定されないが、ポリビニルアルコール、ポリビニルピロリドン、ヒドロキシエチルセルロース等を包含し、これらの物質の任意の組合せまたはその誘導体を含む。さらには、任意の上記した立体的に嵩高いモノマーおよび任意のこれらの立体的に嵩高いポリマーの混合物または組合せをまた、ラテックスポリマー中に組み込まれる少なくとも1種の立体的に嵩高い成分として使用できる。安定性を与えることができる、本発明において使用できる多数の他のモノマーおよびポリマーは、Krishnanらによる米国特許第5,830,934号において提供されており、この全部が、引用することにより本明細書に組み入れられる。
【００６４】
任意の少なくとも1種の立体的に嵩高い成分は、全モノマー重量に基づき0〜約25重量％の範囲の量で存在することができる。この態様においては、本発明のラテックスはまた、全モノマー重量に基づき約0.1〜約20重量％、約0.2〜約18重量％、約0.5〜約15重量％、約0.7〜約12重量％、または約1〜約10重量％の立体的に嵩高い成分を含むことができる。この態様においては、出願人は、そのような範囲ならびにそれに包含される任意の下位の範囲および下位の範囲の組合せが正当に含み得る、独立してそれぞれ可能な数を開示することを意図している。
【００６５】
フリーラジカル開始剤
なおさらなる態様においては、本発明のラテックスは乳化重合を開始することができるフリーラジカル開始剤を含むことができ、その選択は当業者に公知である。本発明のアニオン性ラテックスは正味負の電荷を有するので、アニオン性ラテックスが、任意の第2のアニオン性モノマーの不在下で製造されるとき、ラテックスの全体的な負の電荷は、フリーラジカル開始剤によって供給することができる。かくして、アニオン性モノマーの他に、全体的な負の電荷は、フリーラジカル開始剤によって、アニオン性界面活性剤によって、アニオン性の立体的に嵩高い成分によって、またはそれらの任意の組合せによって、ラテックスに与えられ得る。かくして、任意のアニオン性もしくは非イオン性フリーラジカル重合開始剤を使用することができ、低い濃度のカチオン性開始剤を許容することさえできるが、典型的なフリーラジカル開始剤は、限定されないが、アニオン性開始剤を包含し、それには、限定されないが、パーサルフェート、ペルオキシド、アゾに基づく化合物またはそれらの任意の組合せが包含され、それらは、得られるラテックスにアニオン電荷を与えることができる。この態様においては、分解するとアニオン種を生じ、ラテックスのアニオン電荷に寄与する任意のフリーラジカル開始剤をまた使用することができる。そのような開始剤の例は、限定されないが、4,4´-アゾビス(4-シアノペンタン酸)を包含し、これは、バージニア州、リッチモンドのWako ChemicalsによりWAKO V-501（商標）として市販されている。
【００６６】
活性剤およびその組み込み
本明細書において開示されるアニオン性ラテックスの重合およびカプセル封入法は、単独または組み合わせた広範囲の活性剤と共に使用することができる。アニオン性ラテックスポリマーはまた、抗微生物特性が特に必要とされる苛酷な環境において使用することができるラテックス処方物を提供するために、例えば抗微生物活性を示す活性化合物を含む組成物とブレンドすることができる。このように、本明細書において開示されるカプセル封入法によりアニオン性ラテックスに与えられる抗微生物特性は、アニオン性ラテックスポリマーとブレンドされる組成物中の少なくとも1種の抗微生物剤を用いて補うことができる。
【００６７】
別の態様においては、本発明はまた、活性成分、例えば抗真菌もしくは抗菌成分で強化されたアニオン性ラテックスを製造する方法を提供する。1つの実施形態においては、得られる紙のシートが実質的に抗真菌性および抗微生物性であるように、強化されたラテックスがウェットエンド(wet end)プロセスによってパルプ繊維上に堆積される。例えば、1つの態様においては、本発明は抗微生物アニオン性ラテックスをパルプ繊維上に堆積する方法を提供するが、しかしそのような方法は、ラテックスおよび繊維の上での反対の電荷から生じるクーロン力によって促進されることはない。かくして、固有の抗微生物特性を欠くが、組み込まれた生物活性成分のための担体としてなお機能するアニオン性ラテックスを用いて堆積を行うことができる。そのような堆積は典型的には、カチオン成分を用いたアニオン性ラテックスの凝集（flocculation）を包含し、これは、繊維上へのポリマーの凝析（coagulation）をもたらし、種々の程度の不均質性を示す全ての成分のスラリーを提供する。この態様においては、典型的な開始剤はまた、アゾに基づく化合物および組成物を包含する。
【００６８】
本明細書において提供されるように、広範囲の重合条件を使用することができる。1つの態様においては、活性成分もしくは添加物は典型的には、使用されるモノマーの少なくとも1種に可溶性であるか、または使用されるモノマー混合物もしくは組成物に可溶性である。別の態様においては、少なくとも1種の活性成分を含む組成物の全ての成分が開始時に存在するとき、乳化重合を開始することを含む、種形成段階中、非常に初期を含む重合プロセス中の任意の段階で、活性添加物を導入することができる。別の態様においては、添加物は、重合プロセスの遅い段階中に添加することができる。例えば、約30％のモノマーが重合反応器中に供給されたとき、活性成分をモノマー供給物中に導入することができる。
【００６９】
理論に縛られることを意図しないが、重合プロセスにおいて比較的遅く活性成分をモノマー供給物中に導入することは、重合条件から生じる活性剤の劣化を最小限にすることを助け得ると思われる。例えば、活性剤が、重合が行われるより低い温度で劣化し得るか、または特定のモノマーもしくは他の成分と反応し得る可能性がある。したがって、そのような分解プロセスを最小限にするために、例えばプロセスが約50％より多く、約60％より多く、約70％より多く、約80％より多く、または約90％より多く完了しているようなプロセスの時点で、活性剤を添加することができ、かくして、重合条件下で活性剤と他の成分との接触時間を最小限にすることができる。活性剤の劣化を最小限にするための別の取組みは、乳化重合後の適当なときに、熱的、化学的、光化学的または同様の手段によって活性化されることができる「潜在的」活性部分を含む活性剤を使用することである。
【００７０】
本発明の別の態様においては、例えば、得られるラテックスが、乳化重合が約50％完了したときに生物活性成分を添加することにより製造されるのと同じラテックスによって示される標準の活性に比べて、実質的に減少しない活性を示すプロセス中の時間を含む、乳化重合プロセス中任意の段階に、活性添加物を導入することができる。かくして、この標準の活性は、同様の条件下で評価される、乳化重合が約50％完了したときに活性成分を添加することによって製造される、実質的に同じ濃度で同じ活性成分および同じラテックスから合成される同じラテックスの活性である。「実質的に減少しない」という語は、標準の生物活性と比較した、得られる活性ラテックスの活性における差異に言及するために使用され、これは、以下の規準の1つ以上に合う：1)  得られる活性ラテックスの測定された活性が、標準の測定された活性より約15％以下である；2)   得られる活性ラテックスの活性が、数字で表した標準の活性等級より約35％以下である、任意の活性尺度に基づく数字で表した活性等級を有する；または3)   得られる活性ラテックスの活性レベルの経験に基づく記述的等級が、標準の活性等級レベルより2以下の記述的等級レベルだけ低い。例として、抗微生物活性の測定は、以下の試験規準の任意の1つ以上に従って決定することができる：ASTM E2180-01; ASTM E2149-01; ASTM E1882-05; ASTM D3273; AATCC 試験法30, パート3; AATCC試験法100; ASTM D5590。「実質的に減少しない」の規準1)の例は、以下のようである：標準についての最小阻止濃度(MIC)0.010mg/mLより15％未満である、0.009mg/mLのMICを有する抗微生物ラテックスを提供するように、乳化重合プロセス中の時間に、生物活性な添加物を導入することができるか、または導入を開始することができる。「実質的に減少しない」の規準2)の例は、以下のようである：標準について7の生物活性の数字で表した活性等級より35％未満である、任意の活性尺度5に基づく生物活性の数字で表した活性等級を有する抗微生物ラテックスを提供するように、乳化重合プロセス中の時間に、生物活性な添加物を導入することができるか、または導入を開始することができる。「実質的に減少しない」の規準3)の例は、以下のようである：「優れた活性」、「非常に良好な活性」および「良好な活性」の連続的な等級レベルを包含する、経験に基づく記述的等級系において、標準についての「優れた活性」の活性等級に比べて、「良好な活性」の活性等級を有する抗微生物ラテックスを提供するように、乳化重合プロセス中の時間に、生物活性な添加物を導入することができるか、または導入を開始することができる。これらの生物活性の測定のいずれにおいても、先に開示したように、この結果を与える重合プロセス中の任意のときに生物活性な添加物を導入することができるか、またはこの結果を与える重合プロセス中の時間に導入を開始することができる。
【００７１】
別の態様においては、重合プロセスにおいて比較的遅く活性成分をモノマー供給物中に導入することは必要ない。例えば、添加剤はまた、約0％、約10％、約20％、約30％、約40％、約50％、約60％、約70％、約80％、約90％、または約100％のモノマーが重合反応器中に供給されたときに添加することができる。この態様においては、組成物の全ての成分が開始時から存在するわけでないが、限定されないが、少なくとも1種の活性成分を含むいくらかが、重合開始後種々の時間に添加されるときに、乳化重合が開始される。この態様においてはまた、出願人は、そのような数の間の任意のおよび全ての範囲を開示し、そのような範囲ならびにそれに包含される任意の下位の範囲および下位の範囲の組合せが、正当に含み得る個々のそれぞれの可能な数を特許請求することを意図している。
【００７２】
別の態様においては、典型的には、妥当な重合速度を与える最低温度と、抗微生物活性成分の実質的な劣化または分解を生じない許容できる最高温度との間から選択される温度範囲で、重合を行うことができる。1つの態様においては、重合が進行する可能な限り最低の温度で重合を行うことができる。この場合、重合温度は、組み込まれる任意の活性成分を実質的に劣化または分解させないように十分低く、なお重合速度および時間が最終のラテックスポリマーの有用な製造のために適切であるように十分高くなくてはならない。
【００７３】
当業者に公知の方法および材料を使用して、モノマー、添加物、界面活性剤、水等の混合物を乳化することによって作られるプレ-エマルジョンとして、活性剤を供給することもできる。例えば、この態様においては、とりわけ、比較的濃縮された量の添加物を使用し、界面活性剤、分散剤等を用いて分散させ、かつ典型的には混合装置、例えば高速ミキサー、ホモジナイザー、Eppenbachミキサーまたは同様の装置を使用することによって、分散物を作ることができる。さらには、添加物が分散物、エマルジョン、懸濁物等であるか、または重合前にモノマー混合物中に実質的に溶解されるエマルジョンポリマーを提供する、任意の他の考えられるプロセスまたは当業者に公知のプロセスを使用することができる。
【００７４】
1つの態様においては、抗真菌および抗細菌特性を提供する有用な活性剤は、多くの場合、特に高温にさらされるときに、酸化または還元を受けやすいことがあり得る。したがって生物活性剤の溶解性の他に、生物活性剤を選択し、かつ組み込む別の態様は、そのような成分を劣化させる酸化または還元反応を減らすことである。本発明のプロセスは典型的には、重合温度を制御することによって、重合温度への暴露を制御するために活性成分を反応中に添加する時間を調整することによって、レドックス劣化を減らすかもしくは緩和するために適当な酸化剤もしくは還元剤を重合中のある時間に添加することによって、またはこれらの方法の任意の組合せによって、この結果を達成することができる。
【００７５】
本発明の1つのさらなる態様においては、少なくとも1種の生物活性成分は、ウンデシレン酸；ウンデシレンアルコール；ウンデシレン酸とヒドロキシルエチル（メタ）アクリレートもしくはポリエチレングリコール（メタ）アクリレートとの反応生成物；ウンデシレンアルコールと（メタ）アクリル酸、無水マレイン酸もしくはイタコン酸との反応生成物；またはそれらの任意の組合せから独立して選択することができる。本発明において使用できる追加の活性成分は、Krishnan による米国特許出願公開第2005/0003163号に与えられており、これは、その全部が引用することにより本明細書に組み入れられる。本発明の別の態様は、少なくとも1種の生物活性成分が、銅、銅塩、銀、銀塩、亜鉛、亜鉛塩、酸化銀、酸化亜鉛、クロルヘキシジン、クロルヘキシジングルコネート、グルタラール、ハラゾン、ヘキサクロロフェン、ニトロフラゾン、ニトロメルソール、ポビドン-ヨウ素、チメロソール(thimerosol)、C1〜C5-パラベン、次亜塩素酸塩、クロフカルバン(clofucarban)、クロロフェン、ポリキサマー-ヨウ素、フェノール類、マフェニド酢酸塩、アミナクリン塩酸塩、4級アンモニウム塩、オキシクロロセン、メタブロムサラン、メルブロミン、ジブロムサラン、グリセリルラウレート、ピリチオン塩、ナトリウムピリチオン、亜鉛ピリチオン、（ドデシル）（ジエチレンジアミン）グリシン、（ドデシル）（アミノプロピル）グリシン、フェノール、m-クレゾール、n-クレゾール、p-クレゾール、o-フェニル-フェノール、レゾルシノール、ビニルフェノール、ポリマーグアニジン、ポリミキシン、バシトラシン、サーキュリン、オクタペプチン(octapeptin)、 リゾチーム(lysozmye)、リソスタフィン、細胞分解(cellulytic)酵素、バンコマイシン、リストセチン、アクチノイジン(actinoidin)、アボパルシン、チロシジンA、グラミシジンS、ポリオキシン(polyoxin)D、ツニカマイシン、ネオマイシン、ストレプトマイシンまたはそれらの任意の組合せから独立して選択されることを提供する。
【００７６】
本発明のなお別の態様は、少なくとも1種の生物活性成分が、抗真菌活性を示すことができることを提供する。この態様においては、この開示に適用可能な適当な抗真菌剤は、限定されないが、アゾール、4級アンモニウム化合物、ジチオカルバメート、ジカルボキシイミドまたはそれらの任意の組合せを包含する。例えばこの態様においては、アゾール抗真菌剤は、プロピコナゾール(propiconazole)、テブコナゾール(tebuconazole)、アザコナゾール(azaconazole)、ビテルナトール(biternatol)、ブロムコナゾール(bromuconazole)、シプロコナゾール(cyproconazole)、ジニコナゾール(diniconazole)、フェンブコナゾール(fenbuconazole)、フルシラゾール(flusilazole)、フルトナフォル(flutnafol)、イマザリル(imazalil)、イミベンコナゾール(imibenconazole)、メトコナゾール(metconazole)、パクロブトラゾール(paclobutrazol)、パーフアゾエート(perfuazoate)、ペンコナゾール(penconazole)、シメコナゾール(simeconazole)、トリアジメフォン(triadimefon)、トリアジメノール(triadimenol)、ウニコナゾール(uniconazole)またはそれらの任意の組合せから選択することができる。またこの態様においては、ジチオカルバメート抗真菌剤は、マンコゼブ(mancozeb)、マネブ(maneb)、メチラム(metiram)、ジネブ(zineb)またはそれらの任意の組合せから選択することができる。
【００７７】
別の態様においては、適当な抗真菌剤は、限定されないが、フルジオキソニル(fludioxonil)、フルキンコナゾール(fluquinconazole)、ジフェノコナゾール(difenoconazole)、4,5-ジメチル-N-(2-プロペニル)-2-(トリメチルシリル)-3-チオフェンカルボキサミド（シルチオファム(sylthiopham)）、ヘキサコナゾール(hexaconazole)、エタコナゾール(etaconazole)、トリチコナゾール(triticonazole)、フルトリアフォル(flutriafol)、エポキシコナゾール(epoxiconazole)、ブロムコナゾール(bromuconazote)、テトラコナゾール(tetraconazole)、ミクロブタニル(myclobutanil)、ビテルタノール(bitertanol)、ピレメタニル(pyremethanil)、シプロジニル(cyprodinil)、トリデモルフ(tridemorph)、フェンプロピモルフ(fenpropimorph)、クレゾキシム(kresoxim)-メチル、アゾキシストロビン(azoxystrobin)、ZEN90160（商標）、フェンピクロニル(fenpiclonil)、ベナラキシル(benalaxyl)、フララキシル(furalaxyl)、メタラキシル(metalaxyl)、R-メタラキシル(R-metalaxyl)、オルフレイス(orfurace)、オキサジキシル(oxadixyl)、カルボキシン(carboxin)、プロクロラズ(prochloraz)、トリフルミゾール(triflumizole)、ピリフェノックス(pyrifenox)、アシベンゾラー-S-メチル(acibenzolar-S-methyl)、クロロタロニル(chlorothalonil)、シモキサニル(cymoxanil)、ジメトモルフ(dimethomorph)、ファモキサドン(famoxadone)、キノキシフェン(quinoxyfen)、フェンプロピジン(fenpropidine)、スピロキサミン(spiroxamine)、トリアゾキシド(triazoxide)、BAS50001F（商標）、ヒメキサゾール(hymexazole)、ペンサイキュロン(pencycuron)、フェナミドン(fenamidone)、グアザチン(guazatine)等（それらの任意の組合せを含む）を包含し得る。本発明のなお別の態様は、適当な抗真菌剤が、限定されないが、ベノミル(benomyl)（ベンレート(benlate)としてまた知られる）、カプタン(captan)、カルベンダジム(carbendazim)、カプロパミド(capropamid)、エチリモル(ethirimol)、フルトラニル(flutolanil)、フォセチル(fosetyl)-アルミニウム、フベリダゾール(fuberidazole)、ヒメキサノール(hymexanol)、カスガマイシン(kasugamycin)、イミノクタジン(iminoctadine)-三酢酸塩、イプコナゾール(ipconazole)、イプロジオン(iprodione)、メプロニル(mepronil)、メタラキシル-M(metalaxyl-M)（メフェノキサム(mefenoxam)）、ヌアリモル(nuarimol)、オキシン(oxine)-銅、オキソリン酸(oxolinic acid)、パーフラゾエート(perfurazoate)、プロパモカルブ(propamocarb)塩酸塩、ピロキロン(pyroquilon)、キントゼン(quintozene)（PCNBとしてまた知られる）、シルチオファム(silthiopham)、MON(商標)65500、テクナゼン(tecnazene)、チアベンダゾール(thiabendazole)、チフルザミド(thifluzamide)、チオフェネート-メチル(thiophenate-methyl)、チラム(thiram)、トルクロフォス-メチル(tolclofos-methyl)、トリフルミゾール(triflumizole)等（それらの任意の組合せを含む）を包含することができることを提供する。さらには、これらの抗真菌剤の任意の組合せまたは混合物が使用できる。
【００７８】
本発明の組成物はまた、少なくとも1種の後-添加される添加物を含むことができる。後-添加される添加物は、ラテックス組成物または最終的な処方物に導入される少なくとも1種の活性成分であり得る。後-添加される添加物は分散物であり得る。
【００７９】
1つの実施形態においては、少なくとも1種の後-添加される添加物は、無機成分、例えば以下の顔料から独立して選択される無機顔料であることができる：例えば酸化チタンもしくは酸化亜鉛；黒色顔料、例えば黒酸化鉄；装飾的もしくは多色の顔料、例えばウルトラマリンもしくは赤酸化鉄；光沢のある顔料、金属効果の顔料、真珠光沢顔料ならびに蛍光もしくは燐光顔料；金属酸化物、金属水酸化物および金属酸化物水和物、混合相顔料、硫黄含有シリケート、金属硫化物、錯体メタロ-シアニド、硫酸金属塩、クロム酸金属塩、モリブデン酸金属塩、黄酸化鉄、茶酸化鉄、マンガンバイオレット、スルホケイ酸ナトリウムアルミニウム、酸化クロム水和物、フェロシアン化鉄(III)およびコチニール。無機成分はまた、少なくとも1種の無機固体、例えば種子、破砕された種子の堅果殻、ビーズ、ヘチマ粒子、ポリエチレンボール、クレー、カルシウムベントナイト、カオリン、陶土、タルク、パーライト、雲母、バーミキュライト、シリカ、石英粉末、モンモリロナイト、炭酸カルシウム、タルクもしくは雲母族の構成要素またはそれらの化学的同等物、またはそれらの任意の組合せ。なおさらには、少なくとも1種の後-添加される添加物は、ナノ-無機材料、例えばナノクレー、ナノ酸化物、ナノチューブ等であることができる。さらに、暗示されているが、本発明はそれらの任意の組合せを包含する。
【００８０】
本発明のさらなる態様においては、少なくとも1種の後-添加される添加物は、天然の植物に基づく蝋、動物由来の蝋、天然および合成の無機蝋および合成蝋、例えばパラフィン、カルナウバ、オゾケライト(ozocertie)、モンタン蝋、ポリオレフィン蝋例えばポリブチレン、蜜蝋、またはラノリン、カンデリラおよびカルナウバ蝋；2個より多い、好ましくは4個より多い炭素鎖長を含むアルコール、特に脂肪アルコール、例えばセチルアルコール、ステアリルアルコール、セトステアリルアルコール、ベヘニルアルコール、プロピレングリコール、ミリスチルアルコール、アラキジルアルコール、リグノセリルアルコール；上記したアルコールのエステル例えばステアレートおよびミリステート；ステアリン酸金属塩例えばステアリン酸カルシウム、ステアリン酸亜鉛、ステアリン酸マグネシウムもしくはステアリン酸バリウム；カルボン酸例えばカプリル酸、ペラルゴン酸、カプリン酸、ウンデシル酸、ラウリン酸、パルミチン酸、ベヘン酸、テレフタル酸、フタル酸、イソフタル酸、ナフタレン-2,6-ジカルボン酸、シクロヘキサンジカルボン酸、シクロヘキサン二酢酸、コハク酸、アジピン酸およびセバシン酸、特に3個より多い炭素鎖長を有するカルボン酸；脂肪酸例えばステアリン酸、オレイン酸、ウンデシレン酸およびリノール酸；油例えば香油、精油、植物油、魚油、パラフィン油および鉱油；1級アミド例えばステアラミド、オレアミド、エルカミド、2級アミド例えばステアリルステアラミド、ステアリルエルカミド、ビスアミド例えばエチレンビスステアラミド、エチレンビスオレアミド、アルカノールアミド例えばココモノエタノールアミド、ココジエタノールアミド、オレインジエタノールアミド、ラウリンジエタノールアミドおよびステアリンジエタノールアミド、ならびに他の種々のアミド例えばカプリルアミド、ペラルゴンアミド、カプラミド、ラウラミド、ミリスタミド、パルミタミド、ステアラミド、アラキダミド、ベヘナミド、ステアリルステアラミド、パルミトールアミド、オレアミド、エルカミド、リノールアミド、リノレンアミド、オレイルパルミタミド、ステアリルエルカミド、エルシルエルカミド、オレイルオレアミド、エルシルステアラミドおよびリシノールアミドを含む脂肪アミド；脂肪ビスアミド例えばエチレンビスステアラミド、エチレンビスオレアミドおよびエチレンビス12-ヒドロキシステアラミド、またはそれらの任意の組合せから独立して選択される疎水性成分であることができる。
【００８１】
本発明の別の態様においては、少なくとも1種の生物活性成分は、薬用化粧品または機能性食品成分であることができる。例えば、活性成分は、保湿剤またはしわ防止／老化防止剤成分、例えばグリセリン、プロピレングリコール、ポリエチレングリコール、ヒアルロン酸、コンドロイチン硫酸、エラスチン、コラーゲン、多糖、グリコサミノグリカン、アスコルビン酸、アスコルビン酸誘導体、グルコサミンアスコルベート、アルギニンアスコルベート、リジンもしくはチロシンアスコルベート、グルタチオンアスコルベート、ニコチンアミドアスコルベート、ナイアシンアスコルベート、アラントインアスコルベート、クレアチンアスコルベート、クレアチニンアスコルベート、コンドロイチンアスコルベート、キトサンアスコルベート、DNAアスコルベート、カルノシンアスコルベート、トコトリエノール、ルチン、ケルセチン、ヘスペレジン(hesperedin)、ジオスミン(diosmin)、マンジフェリン(mangiferin)、マンゴスチン(mangostin)、シアニジン、アスタキサンチン、ルテイン、リコピン、レスベラトロール、テトラヒドロクルクミン、ローズマリー酸、ヒペリシン、エラグ酸、クロロゲン酸、オレウロペイン(oleuropein)、アルファ-リポ酸、ナイアシンアミドリポエート、グルタチオン、アンドログラホリド(andrographolide)、カルノシン、ナイアシンアミド、ポリフェノール、ピクノジェノールおよびそれらの混合物；UV遮断剤および吸収剤成分例えばベンゾフェノン、ベンゾトリアゾール、サリチレート、ジベンゾイルメタン、アントラニレート、メチルベンジリデン、オクチルトリアゾン、2-フェニルベンズイミダゾール-5-スルホン酸、オクトクリレン、トリアジン、シンナメート、シアノアクリレート、ジシアノエチレン、エトクリレン(etocrilene)、ドロメトリゾールトリシロキサン、ビスエチルヘキシルオキシフェノールメトキシフェノールトリアジン、ドロメトリゾール、ジオクチルブタミドトリアゾン、テレフタリリデンジカンファースルホン酸およびパラ-アミノベンゾエート、サリチル酸、ピリチオン亜鉛、ならびに、それらのエステル誘導体；肌褐色化剤もしくは日焼け剤成分例えばジヒドロキシアセトン、エリトルロース(erytrulose)、メラニン；酸化防止剤例えばビタミンCおよびその誘導体（例えば酢酸アスコルビル、リン酸アスコルビルおよびパルミチン酸アスコルビル）、ビタミンAおよびその誘導体；葉酸およびその誘導体；ビタミンEおよびその誘導体例えば酢酸トコフェリル、フラボン、もしくはフラボノイド、アミノ酸例えばヒスチジン、グリシン、チロシン、トリプトファンおよびそれらの誘導体；カロテノイドおよびカロテン；尿酸およびその誘導体；クエン酸、乳酸、リンゴ酸；スチルべンおよびその誘導体；およびザクロ抽出物；ビタミンK1もしくはK2、ビタミンK1オキシドもしくはビタミンK2オキシド、ホルモン、無機物、草本植物(plant)抽出物もしくは植物(botanical)抽出物、抗炎症剤、草本植物抽出物の濃縮物、緩和薬、皮膚保護剤、湿潤剤、シリコーン、肌をなめらかにする成分、鎮痛もしくは抗掻痒剤、皮膚浸透促進剤、可溶化剤、アルカロイドおよび加工助剤；種々の染料および顔料を包含する着色剤；ならびに身体用の香料もしくは芳香剤；またはそれらの任意の組合せであり得る。活性アニオン性ラ��ックスの1つの実施形態においては、より広いUV/可視スペクトルの保護を提供するために、酸化亜鉛もしくは酸化チタンと組み合わせて相乗作用的に使用される少なくとも1種の紫外線遮断剤を含む日焼け止め剤が処方され得る。少なくとも1種の紫外線遮断剤は、ポリマーに結合されるか、またはポリマー内に分散もしくはカプセル封入されることができる。
【００８２】
少なくとも1種の活性成分は、フリーラジカル除去剤、例えばハロゲン化銅(I)、ハロゲン化銅(II)、酢酸銅(II)、蟻酸銅(II)、酢酸銅(I)、蟻酸銅(I)、ハロゲン化鉄(II)、ハロゲン化鉄(III)、硫酸鉄(II)、硫酸鉄(III)、システイン、グルタチオン、N-アセチルシステイン、L-アルファ-アセトアミド-ベータメルカプトプロピオン酸、S-ニトロソ-グルタチオン、N-アセチル-3-メルカプト-アラニン、ブチル化ヒドロキシアニソール、ブチル化ヒドロキシトルエン、L-2-オキソチアゾリジン-4-カルボキシレート、デスフェリオキサミン、アロプリノール、スーパーオキシドジスムターゼおよびサレン(salen)-マンガン錯体；ならびにそれらの任意の組合せであることができる。
【００８３】
本発明のなお別の態様においては、乳化重合中に添加できる活性成分の量は、全モノマー重量に基づき約0.01〜約40重量％の活性添加物の範囲であり得る。別の態様においては、乳化重合中に添加できる活性成分の量は、全モノマー重量に基づき約0.025〜約35重量％、約0.05〜約30重量％、約0.1〜約25重量％、約0.25〜約20重量％、または約0.5〜約15重量％の活性添加物の範囲であり得る。この態様においては、出願人は、そのような範囲ならびにそれに包含される任意の下位の範囲および下位の範囲の組合せが正当に含み得る、独立してそれぞれ可能な数を開示することを意図している。「後-添加（post-add）」として添加される活性成分の量と比べたとき、活性添加物のこれらの濃度は典型的には、後-添加量よりはるかに大きい。とりわけ、この特徴は、濃縮物として、添加物として、または希釈でき、所望の機能性例えば抗微生物保護、保湿、UV保護等を必要とする他の系に添加することができる濃縮分散物として使用することができる、安定な濃縮分散物を提供する。
【００８４】
本明細書において開示されるように、1つの態様においては、活性成分は典型的には、乳化重合プロセス中にモノマー供給物に溶解される。かくして、活性添加物は典型的には、使用される1種以上のモノマー中に少なくとも一部可溶性である。さらには、活性添加物は、使用される1種以上のモノマー中に、適度に可溶性であるか、実質的に可溶性であるか、または非常に可溶性であることができる。この特徴は、とりわけ、疎水性活性成分の組み込み、量が多く濃度が高い活性成分の使用、抗微生物特性の効力を高めることによって生物活性な材料を含む活性剤の特性を大きく制御すること、最少量の界面活性剤の使用、および活性成分の少なくとも一部カプセル封入することを可能にし得る。いくつかの例では、ラテックスポリマーは実質的に、添加された活性成分をカプセル封入することができ、かくしてラテックスポリマーは、活性成分のためのある種の担体として機能し得る。このプロセスはまた、これらの化合物の活性を実質的に劣化させることなく活性成分の組み込みを可能にする。
【００８５】
別の態様においては、本発明において有用な活性添加物はまた、任意の範囲まで水溶性であることができ、それには実質的に水溶性であることが含まれ、その例は、o-フェニルフェネート（脱プロトンされたo-フェニルフェノール）、グリセリン、プロピレングリコール、および同様の剤を包含する。かくして、そのような親水性活性添加物が、重合されるべき任意のモノマー中に可溶性であることは必要ではない。なお別の態様においては、本発明において有用な活性添加物は、重合されるモノマー中に実質的に不溶性であることができ、かつ水に実質的に不溶性であることができる。この態様においては、とりわけ、特定の濃度の添加物を、界面活性剤等を使用して、典型的には高速ミキサーもしくはホモジナイザーを使用して分散させることによって、活性成分の分散物を作ることができる。
【００８６】
後-添加される添加物は典型的には、処方物中に後-混合される分散物であるので、それらが使用されるポリマーの膜、バインダー、コーティング等の中に活性添加物を適切に分散させることは困難であり得る。さらには、今日使用される典型的な添加物分散物は、水分感受性および添加物の浸出を引き起こし得るかまたはそれに関連することがあり得るので、多くの後-添加は、適切な抗真菌保護を提供するのに十分な時間生成物内に残らない。本開示において提供される取組みは、最小の界面活性剤を使用して活性添加物をラテックス中に組み込むことを可能にし、かつ添加物が重合中に導入されるので、典型的には添加物はカプセル封入され、得られるラテックスから容易には放出されない。その結果、活性成分の浸出はほとんどなく、ポリマーの膜、バインダー、コーティング等の中に活性成分を全体にわたって良好に分布させることができる。したがって、この方法は、持続する機能性、例えば抗真菌または抗細菌保護を与えながらも、潜在的により安全な、より環境にやさしい分散物を提供することができる。活性剤はまた、所望なら、ポリマー担体および活性添加物の適切な選択によって、改変もしくは制御されるやり方で放出され得る。
【００８７】
本明細書に開示されたプロセスはまた、本明細書において提供されるものほど安定でない典型的な濃縮分散物とは対照的に、ラテックスを濃縮物として使用することを可能にする。その結果、典型的な濃縮分散物は容易には扱えず、したがって最終生成物中に容易には組み込むことができず、投与量が増加すると、性能例えば水感受性に有害な影響を有し得る。本明細書において提供されるラテックスの濃縮物は希釈することができ、そのような材料が適切な濃度の添加物を提供するのに必要とされるなら、他の材料と一緒に、またはそれなしで使用することができる。このやり方での活性成分の完全な組み込みは、添加物の均質な分布を提供し、結果として、予め作られた分散物と比べて優れた持続する性能をもたらす。
【００８８】
活性剤のこの完全な組み込みの追加的な利益は、これらのラテックスを用いて製造される膜において明らかであり、これは実質的に透明であることが観察される。この特徴は、ラテックス粒子中への活性剤の非常に均質な同化を強調し、用途、例えば透明な活性膜等のために、たとえ比較的高濃度であっても、例えば最大で約20〜約25重量％であっても、いかにこの均質な分布が有用な特性を提供し得るかを強調する。1つの実施形態においては、活性成分は、処方物、例えば膜から、ある期間にわたって放出されることができ（すなわち、改変されるかまたは制御される放出）、放出期間は、周囲の条件、例えばポリマーラテックス組成物が使用される環境のpHまたは特定の活性成分の特性に依存し得る。得られるポリマーラテックスの粒径は、約15nm〜約5ミクロンであり得る。より好ましくは、粒径は、約20nm〜約2ミクロン、最も好ましくは約50nm〜約1ミクロンである。
【００８９】
他の添加物
本開示の別の態様においては、本明細書で提供されるラテックスはまた、他の添加物を含んで、ポリマーの物性および／または機械的特性を改善することができ、その選択は当業者に公知である。そのような添加物は、例えば加工助剤および性能補助剤を包含し、限定されないが、架橋剤、天然もしくは合成のバインダー、可塑剤、軟化剤、発泡阻止剤、発泡補助剤、難燃剤、分散剤、pH-調整成分、金属イオン封鎖剤もしくはキレート化剤、または他の機能性成分、またはそれらの任意の適当な組合せを包含する。
【００９０】
ポリマーA
当業者に認識されるように、任意のアニオン性ポリマーラテックスを本発明において使用することができる。1つの例として、ポリマーAが本発明のアニオン性ポリマーラテックスを表す。
【表１】
2011520007.tif 000002
【００９１】
ポリマーAを調製するために、成分1および2を反応器に仕込んだ。成分3および4を、水性モノマータンクに仕込んだ。成分5、6および7を、モノマータンクに仕込んだ。初期触媒および供給触媒を調製した。約10％の各モノマーを反応器に供給した。反応容器をN2でパージし、約70°Fに加熱した。その温度を保持しながら、成分8および9を仕込んだ。反応を30分間保持した。水性モノマーについては約5時間かけて、モノマーについては約5時間かけて、アニオン供給物については約5.5時間（330分間）かけて、供給を開始した。成分12、13、14および15を仕込み、反応を15分間保持した。反応を停止し、冷却して、該固体を41-42％に調整した。
【００９２】
典型的基体および活性アニオン性ポリマーラテックスのための用途
多数の異なる基体、例えば布地、金属、セルロース材料、プラスチック等への、本開示のラテックスポリマーコーティングの堆積は、それらの材料に、所望の最終用途性能を与えることができ、したがって、様々な用途のために基体を調整することができる。例えば、1つの態様においては、本発明の開示は、少なくとも1種の繊維および、本明細書において提供される少なくとも1種の活性アニオン性ポリマーラテックスを含むことができる、処理された繊維材料を提供する。1つの態様においては、処理された繊維材料は、少なくとも1種の繊維および、少なくとも1種の繊維上に堆積されるかまたは繊維と会合される少なくとも1種の活性アニオン性ポリマーラテックスを含むことができる。所望なら、活性アニオン性ポリマーを粉末の形態で繊維に施与するか、またはポリマー組成物を当業者に公知の任意の適当な方法によって繊維上に堆積させることができる。
【００９３】
本明細書において使用されるように、「繊維」という語は、広く解釈することを意図したものであり、種々の方法で存在し得る単繊維もしくは複合繊維を包含することができる。所望ならば、単繊維のみが、本発明の活性アニオン性ポリマーラテックスで処理され得ることを認識すべきである。本発明に関連して使用することができる繊維は、天然繊維、合成繊維またはそれらの任意の組合せもしくは混合物を包含することができる。天然繊維としては、限定されないが、動物繊維（例えば絹および羊毛）；鉱物繊維（例えばアスベスト）；ならびに植物に基づく繊維（例えば綿、亜麻、ジュートおよびラミー）が包含される。合成繊維としては、限定されないが、ポリマーから作られたもの、例えばポリアミド、ポリエステル、アクリル繊維およびポリオレフィンが包含される。繊維の他の例としては、限定されないが、レーヨンおよび、繊維形態に押し出された無機物質、例えばガラス、ホウ素、炭化ホウ素、窒化ホウ素、炭素、グラファイト、ケイ酸アルミニウム、溶融石英および金属例えば鋼が包含される。別の態様においては、所望ならば、セルロースもしくは木材繊維をまた、本発明の生物活性アニオン性ポリマーラテックスで処理することもできる。任意の適当な繊維例えば上記材料を用いた再生繊維をまた使用することもできる。所望ならば、繊維の任意の混合物を、本発明の活性アニオン性ポリマーラテックスで処理することができる。
【００９４】
処理された繊維材料は、別の態様においては、複合繊維構造を形成するように繊維上に堆積された少なくとも1種の他のポリマー層、例えば所望なら使用することができる種々のタイプの多重のポリマー層を有することができる。例えば、アニオン性ポリマーラテックスを、処理された繊維材料上に堆積させて、処理された繊維材料の特定の特性を向上させることができる。別の態様においては、繊維材料を、生物活性アニオン性ポリマーラテックスおよびカチオン性ポリマーラテックスを用いて交互に連続方式で処理して、多重層構造を形成させることができる。理論に縛られることを意図しないが、アニオン性ポリマーとカチオン性ポリマーとの間の単純なクーロン相互作用が、そのような構造の安定性を高め、丈夫な処理繊維材料をもたらすと思われる。活性剤を含まない種々の他のポリマーの層を同様に使用することができ、例えば、繊維材料上に存在するアニオン性ポリマーラテックスの上に堆積させて、複合構造を形成させることができる。このやり方で、本発明に従って特別に改変された表面を有する独特の層をなす構造を構成することができる。
【００９５】
さらなる態様においては、本発明はまた、本明細書に提供されるように、基体および、その上に堆積もしくは配置された生物活性アニオン性ポリマーラテックスを含む製品を提供する。この開示の目的のために、「基体」という語は、無機材料、有機材料、その複合物、その混合物またはそれらの任意のタイプの組合せから形成されるもの全てを含むように広く解釈し、説明することを意図している。例えば基体は、限定されないが、紙、複合材、繊維、充填剤、顔料等ならびに他の有機および無機材料を包含することができる。
【００９６】
本発明の1つの態様においては、本明細書に開示されるように、繊維基体を使用することができる。「繊維基体」という語はまた、本明細書において開示される少なくとも全ての繊維、織布および不織布を含むように広く解釈することを意図している。かくして、繊維基体は、例えば織布、紡ぎ糸、織地、布地基体等の形態で存在し得る。繊維基体のさらなる例は、限定されないが、天然繊維、例えば綿および羊毛から合成繊維、例えばナイロン、アクリル繊維、ポリエステル、ウレタン等までを包含する。公知の施与プロセス、例えばロッド／ナイフコーティング、含侵、背面コーティング、印刷を使用して、個々の繊維上に前処理として、または仕上げ品として、生物活性アニオン性ポリマーラテックスを施与することができる。また本明細書において使用されるように、「布地基体」という語は、Krishnan らによる米国特許第5,403,640号における使用に従って定義することができ、その開示は、その全部が、引用することによって本明細書に組み入れられる。この態様においては、例えば「布地基体」は、本明細書に記載された繊維の任意のものから形成される、繊維、織布、紡ぎ糸(yarn)、糸(thread)、スライバー(sliver)、織布、編み地(knitted fabric)、不織布、室内装飾材料織地(upholstery fabric)、ふさ付きカーペット(tufted carpet)、パイルカーペット等を包含することができ、その任意の組合せが含まれる。
【００９７】
本発明の活性アニオン性ラテックス組成物はまた、広く種々のプラスチックまたはゴム基体に施与することができる。そのような材料の例は、限定されないが、日用品成形熱可塑性樹脂、例えばポリオレフィン；工学熱可塑性樹脂、例えばポリスルホン、アセタール、ポリカーボネート等；熱硬化性樹脂、例えばエポキシ樹脂、ウレタンおよび関連材料；ならびに押出しもしくはブロー成形された膜を包含する。ポリマーは、ロッド／ナイフコーティング、噴霧、浸漬による表面上へのコーティングとして、押出しプロセス中のラミネートコーティングとして、または成形プロセス中に金型に施与されるコーティングとして、施与することができる。ゴム製品は、シート、押出し／成形された物品、複合材等を包含し得る。別の態様においては、本発明の活性アニオン性ラテックス組成物はまた、固体形態で分散させることができる。この態様においては、本発明のラテックスは、例えば、凝固または噴霧乾燥されて、固体活性アニオン性ラテックスを提供することができ、これは、プラスチック製品において添加物として、例えば押出しもしくはブロー成形のようなプロセスにおいて、種々のポリエチレン、ポリプロピレン等のための添加物として、および多数の他のポリマーおよびプラスチック用途において、固体形態で使用することができる。
【００９８】
本発明の活性アニオン性ラテックス組成物はまた、木材または金属基体に施与することができる。この態様においては、適当な基体は、全ての種類の天然および工学処理された木材基体を包含する。適当な金属基体は、金属および金属合金の両方、例えば炭素鋼、ステンレス鋼を包含し、固体鋼棒、シート、コイル、ロープ等を包含し、ここで、組成物は、多くのプロセス、例えば噴霧浸漬、ブラッシング、ローラーコーティングおよび関連した方法の1つによって、コーティングとして施与される。
【００９９】
これに関連して、基体およびその上に堆積もしくは配置された活性アニオン性ポリマーラテックスを含む製品は、関連分野の当業者に公知の標準の手順に従って作ることができる。製品は、別の態様においては、複合構造を形成するように、その上に堆積された少なくとも1種の他のポリマー層を有することができ、かくして、所望なら、種々のタイプの多重ポリマー層を使用することができる。例えば、種々のポリマーの他の層は、製品中に存在する生物活性アニオン性ポリマーラテックスの上に堆積させて、複合構造を形成させることができる。この態様においては、生物活性アニオン性ラテックスの堆積の後に、カチオン性ラテックスまたは他のポリマーを堆積させて、製品の特定の特性を向上させることができる。かくして、特別に改変された表面を有する独自に調整された品を、本発明に従って製造することができる。
【０１００】
より広い態様においては、本発明はまた、任意の材料およびその上に堆積または配置された活性アニオン性ポリマーラテックスを含むコーティングされた材料を提供し、ここでは、他の材料の追加の層を場合により、本発明の活性アニオン性ポリマーラテックスと組み合わせて使用することができる。本明細書において使用されるように、「材料」という語は、限定されないが、任意の無機材料、任意の有機材料、任意のその複合材またはその任意の組合せを含むように広く使用することが意図されている。適当な材料の例としては、限定されないが、繊維、充填剤、粒子、顔料、それらの複合物、それらの組合せ、それらの混合物等が包含される。
【０１０１】
多重堆積プロセスを使用して、布地および繊維材料以外の領域での用途を有する複合膜を作ることもできる。1つの態様においては、例えば本発明の活性アニオン性ポリマーラテックスを使用して、多重エラストマー手袋を製造するか、または支持されている手袋を作ることができる。本明細書において提供される生物活性アニオン性ポリマーラテックスを用いて、セルロース構造を作ることもでき、これは、限定されないが、セルロース複合体および特別丈夫なセルロース構造を包含する。セルロース複合体の例は、限定されないが、ろ過、靴の中敷き、フローリングフェルト、ガスケット等を包含する。特別丈夫なセルロース構造は、限定されないが、荷敷袋(dunnage bag)、工業用ワイプ(industrial wipe)、および関連する構造を包含する。さらなる態様においては、本発明の堆積プロセスおよび生物活性アニオン性ポリマーラテックスはまた、アニオン性凝集剤、製紙のための湿式および乾式の強度添加物、アニオン性保持補助剤(retention aid)、セメント改良、染料の固定、再分散性粉末等を含む他の技術において、使用することもできる。
【０１０２】
本発明は、活性材料を製造するために使用される従来の方法に比べて特定の利点を提供することができる。1つの態様においては、例えば、残余の活性ラテックスが加工処理流動媒体中に残らないように、活性アニオン性ラテックスを基体上に実質的に堆積させることができ、これは環境的な観点から潜在的利点を提供する。さらには、活性アニオン性ラテックスを、正味正の電荷を有する任意の基体上に、優先的に堆積させることができ、堆積は均質なやり方で行われ、それによってより少ないラテックスを用いることができる。この態様において、理論に縛られることを意図しないが、活性アニオン性ラテックスは、正に荷電した基体上にポリマー材料の実質的に均質な単層を形成させることができ、それによって、所望の適用範囲を提供するためにより少ないラテックスを使用することを可能にすることができると思われる。活性アニオン性ラテックスは乳化重合プロセスに存在することによって形成されることができるので、この重合方法は有利には、高分子量ポリマーの製造を可能にする。
【０１０３】
さらなる態様においては、本開示の抗微生物アニオン性ポリマーラテックスは、充填されたラテックスの有用な成分を構成することができる。多くの充填剤、例えば雲母または炭酸カルシウムは負に荷電しており、カチオン性ラテックスと組み合わせて大量に使用することは困難であり得る。かくして、充填されたラテックスが望ましいときに、比較的高濃度の充填剤が必要とされるときですら、本発明は、とりわけ、充填されたラテックスを製造するのに使用することができ、アニオン性ラテックスポリマーを提供することができる。
【０１０４】
本明細書において提供されるように、本発明のラテックス組成物は、当業者によく知られている種々の技術を用いて、広く種々の基体に施与することができる。その結果、本発明には多数の用途があり、その多くは、以下に挙げるものにおいて提供される。この態様において、ここに挙げたものは包括的ではないが、特定の用途は、限定されないが、以下を含む：布地例えば、住宅用および商業用カーペットもしくはタイル；HVACもしくは真空掃除機、または自動車用途のための液体および空気フィルター；医療用外科用の手術着、無菌布、外傷用医薬材料、カバー等；繊維のための前処理、衣類、家具、シート、タオル等のためのプリントもしくは染色された織地のための前処理；おむつおよび失禁用品；自動車の内部用途、例えば内装(trim)、座席の張り地(upholstery)、マット、フィルター等；座席の張り地のコーティング；積層および結合接着剤；音響吸収のためのフォーム；発泡品、例えば枕およびマットレス；食品取扱等のためのベルトもしくは他の機械部品；テープ、例えばマスキングテープ、外科用テープ、工業用テープ等；電気用、工業用および家庭用の掃除用ワイプ(wipe)、布およびスポンジ；靴製品、例えば中敷き、ボックストウ等；プラスチックおよび／もしくはゴム品、例えば工具ハンドル、工具グリップ、玩具、ゴム手袋、シートもしくは他の物品；機械ハウジング、例えばコンピュータ、ディスプレーおよび診断装置もしくは器械用のハウジング；医療用装置、例えばカテーテル、バルーン、管、注射器、診断キット等；包装もしくは製品保護材、腐敗しやすいもの、コンピュータ周辺装置、半導体、メモリーチップ、CD、DVD等へ適用されるようなもの；アクリル樹脂、ポリカーボネート等のための衝撃改良材；手袋のためのオーバーディップ(overdip)もしくはアンダーディップ(underdip)、例えばクリーンルームのための手袋；通気性のある膜；織地で支持された手袋のためのフィルム形成材；まな板；押出され、ブロー成形された包装用フィルム；紙製品、例えば集塵袋、ブックカバー、エアフィルター、液体フィルター、壁紙、湿乾ワイプ(wipe)、ティッシュペーパー等；ビニルの床を覆う敷物のためのフェルト；成形されたパルプ用途；包装品、例えば箱、カートン、成形品および関連品；贈り物の包装のためのサイズプレスコーティング(size press coating)、インクジェット媒材、通気性コーティング等；マスキング、外科用用途、一般目的の用途等で使用するための紙、テープ、ラベルにおけるウェットエンド添加物；紙において使用するためのバインダー；ウォールボード、例えば石膏ウォールボード等において使用するためのバインダー；テープ、ラベル、ステッカー、フィルム、製本、感圧性の用途、可撓性包装およびラミネート接着剤(FPLA)等において使用するための接着剤；無機および／もしくは有機材料、例えば充填剤もしくは顔料のコーティングもしくはカプセル封入、建築用シーラーおよびグラウト、石膏ウォールボードコーティングもしくはバインダー、外装もしくは内装コーティング等；タイル接着剤；病院、クリーンルーム、クリニック、学校および関連のある環境で使用するための床用コーティング；病院および医療環境のためのコーティング；天井用タイル；グラスファイバーコーティング、例えばガラスマット、絶縁材、フィルター材料、強化複合材等；空調もしくは冷蔵コイルのためのコーティング；空調系、熱交換、イオン交換、冷却水処理を含むプロセス用水系、太陽エネルギーユニット、コーティングパイプ等のための他の部品；キッチン用品；衛生用器具の部品；水系の部品；装置のオペレーターユニット、例えばタッチパネル；浴室で使用される材料、例えばシャワーカーテン、備品、トイレ用品、および結合もしくは封止用コンパウンド；医療用装置、例えばステント、インプラント、補綴、カテーテル、管、コンタクトレンズ、保護もしくは裏張り用の膜において使用されるようなもの、医療用の器具、および生物活性剤の持続する作用を提供するための他の医療用装置；多数の人が接触する物品、例えば電話の受話器、階段の手すり、ドアハンドル、窓の留め具、公共輸送機関における吊革のひもおよび吊革のハンドル等；液体殺菌剤およびクリーナー；パーソナルケア用もしくは衛生用製品、例えばシャンプー、ローション、クリーム、毛髪およびスキンケア製品、ボディウォッシュ、化粧品、トイレ用品等；床以外の表面の衛生コーティング、例えば病院、クリニック、学校、家庭、オフィス等におけるもの；壁、天井、床、調理台等に適用できるような硬質多孔性表面コーティング；装飾的コンクリート；木材、例えばオリエンテッドストランドボード(oriented strand board) (OSB) コーティング；コーティングもしくは浸漬のための敷板および建築用材料；複合建築材料；家具コーティング；テーブルトップ、カウンタートップ、ドアノブ、ドアハンドル、備品等において使用される衛生コーティング；床用途、例えばラミネート、硬木フロアリング、および他の複合床材におけるようなもの；装飾ラミネート、例えばテーブルトップ、カウンタートップ、家具等；他の建築材料、例えば屋根材料、壁材料、ファサード、垣根もしくは木材保護用途のためのもの；海洋用途、例えばボート船体、船着場、ブイ、ドリリングプラットフォーム(drilling platform)もしくはバラスト水タンクにおけるような用途；金属、例えばキャビネット、ドアノブ、ハンドル、備品等；ならびに家具、他社製部品組み込み製品製造販売企業 (OEM)の器具に適用可能なコーティング等。
【０１０５】
1つの態様においては、本発明の抗微生物処方物は、生物付着阻止剤として、特に冷却回路において有用であり得る。藻類もしくは細菌の侵入による冷却回路への損傷を防ぐために、回路は典型的には、たびたび清掃されるかまたは適切にオーバーサイズ(oversized)されなければならない。発電所および化学プラントにおいて通常見出される開放冷却系においては、殺微生物物質、例えばホルマリンの添加は一般に不可能である。他の殺微生物物質はしばしば非常に腐食性であるか、または発泡することから、このタイプの系においてそれらを使用することはできない。系の部品への細菌または藻類の堆積はこのように、有効に阻止することができる。したがって、本発明の処方物および材料は、そのような用途において非常に有用であり得る。
【０１０６】
別の態様においては、本発明はまた、冷却水に、分散した形態で抗微生物処方物を添加することによって、冷却水流またはプロセス水系を滅菌するための方法を提供する。分散した形態は、例えば本明細書において詳述したような乳化重合、また沈殿重合もしくは懸濁重合によって、またはその後これらの方法のいずれかによって得られた抗微生物ポリマーを、例えばジェットミルで粉砕することによって、製造プロセス自体の中で得ることができる。
【０１０７】
本発明の抗微生物ラテックスポリマーは、抗微生物作用が望まれるのと関連する広く種々の目的のために使用することができるコーティング組成物として、施与または使用することができる。例えば、1つの態様においては、本明細書において開示される抗微生物ラテックスポリマーは、広範囲の絶縁材料、例えば細菌の攻撃の危険が特にあるパイプのための被覆材料に関連して使用することができる。かくして、本発明の材料は、エラストマー絶縁材料に関連して使用されるときに有用である。そのようなコーティング組成物はまた、例えばパイプライン（その例は、加熱パイプである）を絶縁するために、かつバルブおよびダクトを絶縁するために使用されるような工業用の絶縁と関連して使用することができる。さらには、本明細書において開示される抗微生物ラテックスは、熱および／または音響の絶縁ならびに多くの最終用途のための関連する絶縁材料に関連して使用することができる。本明細書において提供されるラテックスはまた、抗微生物コーティングのための基体として、工業的フォームおよび発泡材料に関連して使用することができる。本明細書において開示される抗微生物ラテックスを含むそのようなコーティングはまた、空調プラント、冷却器、冷蔵庫および他の冷蔵ユニットならびにまたその部品のためのコーティングとして、かつ海洋船舶のための塗料としてのコーティング組成物のため、および木材の防腐のためのコーティングとして使用することができる。本開示の抗微生物ラテックスを含むコーティングはまた、衛生設備、病院または食品工業において、基体、例えば金属、プラスチックまたはセラミックのコーティングとして、または感染病原体を容易に伝染させ得る任意のタイプの頻繁に接触する物品を含む任意の物品、例えばドアハンドル、衛生用備品、スィッチおよびグリップのコーティングとして使用することができる。そのようなコーティングの場合には、粉末コーティングの形態のコーティング組成物の使用が有利であり得る。
【０１０８】
そのほかに、少なくとも1種の活性成分を含むラテックスポリマーコーティングは、多数の異なる基体上に堆積して、任意の上記した材料に所望の最終用途性能特性を与えるか、または広範囲の薬用化粧品もしくは機能性食品の利益を提供することができる。例えば、1つの態様においては、本発明の少なくとも1種の活性成分を含むポリマーラテックスは、種々の保湿剤、しわ防止剤および老化防止剤、紫外線遮断剤および吸収剤、肌褐色化剤もしくは日焼け剤、ビタミンおよびハーブサプリメント、植物抽出物、フリーラジカル除去剤、着色剤、ヘアダイ、芳香剤および香料において、またはその一部として使用することができる。
【０１０９】
活性ラテックスの医療用装置への適用
本明細書において使用される「医療用装置」という語は、哺乳動物中に挿入される、天然もしくは人工の任意の材料をいう。本発明の抗微生物ラテックスおよび組成物の適用のために適当な特定の医療用装置は、限定されないが、末梢的に挿入可能な中心静脈カテーテル、透析カテーテル、長期間穴をあける(long term tunneled)中心静脈カテーテル、長期間穴をあけない(long term non-tunneled)中心静脈カテーテル、末梢静脈カテーテル、短期間中心静脈カテーテル、動脈カテーテル、肺動脈Swan-Ganzカテーテル、泌尿器カテーテル、人工泌尿器括約筋、長期間の泌尿器装置、泌尿器拡張器、泌尿器ステント、他の泌尿器装置、組織結合泌尿器装置、ペニス補綴、血管接合組織、血管カテーテル入口、血管拡張器、血管外拡張器、血管ステント、血管外ステント、傷の排膿管、脳水腫シャント、心室カテーテル、腹膜カテーテル、ペースメーカー系、小さいかまたは一時的な接合置換品、心臓弁、心臓補助装置等、骨補綴、接合部補綴、歯科用補綴を含む補綴を包含する。
【０１１０】
1つの態様においては、本発明の活性アニオン性ラテックスに関連して使用することができる医療用装置は、限定されないが、非金属材料、例えば熱可塑性樹脂もしくはポリマー材料を包含する。そのような材料の例としては、ゴム、プラスチック、ポリエチレン、ポリウレタン、シリコーン、GORTEX（商標）（ポリテトラフルオロエチレン）、DACRON（商標）（ポリエチレンテトラフタレート）、ポリ塩化ビニル、TEFLON（商標）（ポリテトラフルオロエチレン）、エラストマー、ゼラチンで封止されたナイロンおよびDACRON（商標）、コラーゲンもしくはアルブミンが包含される。1つの例として、医療用装置を被覆するために使用される各生物活性アニオン性ラテックスの量は、ある程度までは変化するが、細菌および真菌生物体の増殖を阻止するのに有効な濃度を形成させるのに、少なくとも十分な量である。
【０１１１】
1つの態様においては、活性ラテックスは、単独で、または2種以上の活性ラテックスを含む組み合わせにおいて使用することができる。各活性ラテックスは、本明細書に提供される1種以上の活性成分を含むことができる。本明細書において開示される任意の適用または用途はさらに、適用表面にわたって分散させることができる少なくとも1種の他の活性剤と共に少なくとも1種の活性ラテックスを使用することを含む。表面を含侵するのに使用される各活性ラテックスおよび活性剤の量は、ある程度までは変化するが、少なくとも有効な濃度である。
【０１１２】
1つの態様においては、生物活性剤は、任意の医薬品、例えば抗生物質、防腐剤、殺菌剤、またはそれらの任意の組合せから選択することができる。別の態様においては、抗微生物剤は、限定されないが、ペニシリン、セファロスポリン、カルベペネム(carbepenem)、他のベータ-ラクタム抗生物質、アミノグリコシド、マクロライド、リンコサミド(lincosamide)、糖ペプチド、テトラサイクリン、クロラムフェニコール、キノロン、フシジン(fucidin)、スルホンアミド、トリメトプリム、リファマイシン、オキサリン(oxaline)、ストレプトグラミン、リポペプチド、ケトリド(ketolide)、ポリエン、アゾール、エキノカンジン(echinocandin)またはそれらの任意の組合せを包含する抗生物質であることができる。
【０１１３】
1つの態様においては、少なくとも1種の医薬品もしくは薬品を、本明細書において提供される生物活性ラテックスを用いて、医療用装置に施与し、生物活性ラテックスに付着する（むしろカプセル封入される）ことができる薬品と組合せて使用することができる。例えば、アニオン性生物活性ラテックスコーティングを、イオン荷電を有することができる医療用装置へのコーティングとして施与することができる。その後、荷電コーティングおよび薬品が互いにさらされるとき、相補的な電荷を有する薬品を、装置の表面に施与された荷電コーティングに施与するか、または結合させることができる。薬品とコーティングとの間の結合力を使用して、薬品が装置の表面から容易に放出されることができる程度を左右することができる。1つの態様においては、この開示は、この薬品送達の特徴を有するインプラントまたは医療用装置を、選択される解剖学的部位に送達することを提供する。この態様においては、有用な典型的な薬品としては、限定されないが、抗微生物剤および抗生物質、例えばネオマイシンおよびサルファ剤、抗炎症剤、例えばステロイドもしくは非ステロイドの抗炎症剤、またはそれらの組合せが包含される。
【０１１４】
ウォールボード製造における活性アニオン性ポリマーラテックスの適用
ウォールボードは典型的には、硫酸カルシウム半水和物（焼き石膏と称される）および他の材料を使用して製造される水性スラリーのコアを、ウォールボードカバー紙の2枚の大きなシートの間に封入することによって製造される。石膏スラリーが凝固し、乾燥された後、形成されたシートは標準の寸法に切断される。かくしてウォールボードのコアは、「乾燥」部分と「湿潤」もしくは水性部分を合わせることによって製造されると考えられ、これはその後、カバー紙の2枚のシートの間に置かれ、凝固もしくは硬化する。
【０１１５】
石膏ウォールボードコアの主要「乾燥」成分は、硫酸カルシウム半水和物（一般に、焼き石膏またはスタッコと称される）であり、これは、天然の石膏岩（硫酸カルシウム2水和物）を乾燥し、粉砕し、焼成することによって製造される。乾燥段階は単純に、岩中の化学的に結合していない遊離の水分を除去するが、一方、焼成は、化学的に結合した水分子の一部を遊離させる。その結果、焼き石膏は、水と化学的に反応性であるという望ましい特性を有し、2者が接触させられ、硫酸カルシウム半水和物がその2水和物状態へ再水和されるときに、非常に速やかに凝固する。硫酸カルシウム半水和物の他に、乾燥成分は、広範囲の添加物、例えば凝固遅緩剤、凝固促進剤、蒸散抑制剤、安定剤、デンプンまたは、製造プロセスもしくは最終的なウォールボード特性において有用であり得る他の添加物を、単独で、または組み合わせて含むことができる。
【０１１６】
水を含むことの他に、ウォールボードコア組成物の「湿潤」部分は、紙パルプを含む。1つの態様においては、ウォールボードコア組成物の湿潤部分は典型的には、必須ではないが、第1の湿潤成分および第2の湿潤成分を含む。第1の湿潤成分は紙パルプ溶液と称され、水、紙パルプ、場合により1種以上の流動性増加剤および場合により凝固遅緩剤の混合物を含むことができる。紙パルプ溶液は、コア組成物の石膏スラリーを形成する水の主要部分を提供する。第2の湿潤成分は、強化剤、発泡剤、界面活性剤、他の慣用の添加物またはそれらの任意の組合せを含む組成物を含むことができる。どの湿潤成分も、または第1の湿潤成分および第2の湿潤成分は一般に、任意の順序もしくはやり方で、石膏ウォールボードコアの乾燥部分と合わせることができる。
【０１１７】
別の態様においては、ウォールボード製造において使用される表側の紙および裏側の紙のカバーシートは典型的には、再パルプ化された新聞紙から作られる多層紙である。表側の紙および裏側の紙の両方が通常、石膏結晶が内層の方へ成長するか、またはその中へ成長することができるように、コアスラリーと接する内層（典型的にはサイズ（size）を塗っていない）を有する。この石膏結晶-紙の相互作用は、コアスラリーとカバーシートとの間の1つの主な結合形態を構成する。中間層は通常サイズを塗られ、外層は、より多量にサイズを塗られ、処理されて、塗料およびスケーラーの吸収を制御することができる。両方のカバーシートは典型的には、十分な浸透性を有しており、下流のボード乾燥プロセス中に水蒸気が通過するのを可能にする。石膏ウォールボードの製造のためのこれらの方法および関連する方法は一般に、例えばMichelsen, T. の「建築物材料(Building Materials) (Survey),」 Kirk-Othmer Encyclopedia of Chemical Technology, (1992 第4版), vol. 4, pp. 618-619に記載されており、その開示は、引用することにより、本明細書に組み入れられる。
【０１１８】
本発明の1つの態様は、本明細書に開示される少なくとも1種の活性ラテックスポリマーを含む活性ウォールボード製造品を提供し、また少なくとも1種の活性ラテックスポリマーを含む生物活性石膏ウォールボードを製造する方法を提供する。この態様においては、活性ラテックスポリマーは、ウォールボードの任意の成分において、すなわち、石膏ウォールボードコア、第1のカバーシート、第2のカバーシート、またはそれらの任意の組合せの成分として、使用することができる。かくして、この方法および物品は、ウォールボードまたはその任意の成分に、微生物に対して十分に有効な濃度で、少なくとも1種の活性ラテックスを添加することを含み、したがって、活性ラテックスは、各ウォールボード成分の任意成分である。さらには、少なくとも1種の活性ラテックスポリマーは任意の形態で、例えば本明細書において開示されるような、エマルジョン、分散物として、または固体形態で使用することができる。かくしてさらなる態様においては、この開示は、仕上げの段階で、例えばコーティング、噴霧、塗装等の段階で、少なくとも1種の活性ラテックスポリマーを添加することを提供する。
【０１１９】
さらなる態様においては、本発明はまた、ウォールボード製造において表側の紙および裏側の紙のカバーシートを製造するのに使用される紙パルプと合わせることができるバインダーまたはコーティング材料として、活性アニオン性ポリマーラテックスを使用することを提供する。1つの態様においては、ウォールボードカバー紙のいずれかまたは両方のシートは、本明細書に開示される少なくとも1種の活性アニオン性ポリマーラテックスを含むことができ、これは、同じであっても、または異なっていてもよい。これらの活性アニオン性アニオン性ラテックスは、カバーシートの内層、中間層もしくは外層、またはそれらの任意の組合せを製造するために使用することができる。さらには、第1、第2もしくは両方のカバーシートが、活性成分、例えば抗微生物成分を含む、任意の組合せのカバーシートを、少なくとも1種の活性アニオン性ポリマーラテックスを含む石膏スラリーと共に、または少なくとも1種の活性アニオン性ポリマーラテックスを含まない石膏スラリーと共に使用することができる。
【０１２０】
かくして1つの態様においては、本開示は、ウォールボードの製造方法であって、
a)  硫酸カルシウム半水和物、水、紙パルプおよび場合により少なくとも1種の第1の活性アニオン性ポリマーラテックスを含むスラリーを形成させること；
b)  スラリーを、場合により少なくとも1種の第2の活性アニオン性ポリマーラテックスを含む第1のカバーシート上に堆積させること；
c)   場合により少なくとも1種の第3の活性アニオン性ポリマーラテックスを含む第2のカバーシートを、堆積されたスラリーの頂部に施与すること；ならびに
d)  得られるウォールボードを乾燥させること；
を含み、
スラリー、第1のカバーシートまたは第2のカバーシートのうちの少なくとも1つは、少なくとも1種の活性アニオン性ポリマーラテックスを含み；かつ
少なくとも1種の第1の活性アニオン性ポリマーラテックス、少なくとも1種の第2の活性アニオン性ポリマーラテックスおよび少なくとも1種の第3の活性アニオン性ポリマーラテックスは同じであるか、または異なる
方法を提供する。
【０１２１】
かくして、少なくとも1種の第1の活性アニオン性ポリマーラテックス、少なくとも1種の第2の活性アニオン性ポリマーラテックスおよび少なくとも1種の第3の活性アニオン性ポリマーラテックスは、互いに独立して選択される。本明細書に開示される任意の活性アニオン性ポリマーラテックスまたは活性アニオン性ポリマーラテックスの組合せを、任意のウォールボード成分において使用することができる。
【０１２２】
したがって本発明はまた、
a)  場合により少なくとも1種の第1の活性アニオン性ポリマーラテックスを含む石膏シート；
b)  石膏シートの一方の面に堆積され、場合により少なくとも1種の第2の活性アニオン性ポリマーラテックスを含む、第1のカバーシート；および
c)   石膏シートの反対側の面に堆積され、場合により少なくとも1種の第3の活性アニオン性ポリマーラテックスを含む、第2のカバーシート；
を含み、
石膏シート、第1のカバーシートまたは第2のカバーシートのうちの少なくとも1つが、少なくとも1種の活性アニオン性ポリマーラテックスを含み；かつ
少なくとも1種の第1の活性アニオン性ポリマーラテックス、少なくとも1種の第2の活性アニオン性ポリマーラテックスおよび少なくとも1種の第3の活性アニオン性ポリマーラテックスは同じであるか、または異なる
ウォールボードを提供する。
【０１２３】
少なくとも1種の第1の活性アニオン性ポリマーラテックス、少なくとも1種の第2の活性アニオン性ポリマーラテックスおよび少なくとも1種の第3の活性アニオン性ポリマーラテックスは、互いに独立して選択される。ウォールボード成分は、本明細書に開示された任意の活性アニオン性ポリマーラテックスまたは活性アニオン性ポリマーラテックスの組合せを含むことができる。
【０１２４】
本明細書において記載されたものと同様または同等の任意の方法、装置および材料を、本発明の実施もしくは試験において使用することができるが、典型的な方法、装置および材料が本明細書において記載される。本明細書において挙げられる全ての刊行物および特許は、記載および開示の目的のために引用することによって本明細書に組み入れられ、それは例えば、記載された本発明と共に使用され得る、刊行物に記載された構成および方法である。本明細書において検討される刊行物は、単に本願の出願日前のそれらの開示のために提供される。本明細書における何ものも、先行発明によって先のそのような開示に本発明者らが権利を与えられないことを容認するものとして解釈されるべきではない。
【０１２５】
本明細書において使用されるように、任意のタイプの様々な開示または特許請求の範囲の記載、例えば温度範囲、濃度範囲、原子数の範囲、重量％等では、そのような範囲ならびにそれに包含される任意の下位の範囲および下位の範囲の組合せが、正当に包含し得る独立してそれぞれ可能な数を開示または特許請求することを意図している。かくして、特定の数の炭素原子を有する化学部分の開示または特許請求の範囲の記載では、本明細書での開示と一致する、そのような数の範囲が含み得る、独立してあらゆる可能な数、下位の範囲および下位の範囲の組合せを開示または特許請求することを意図している。例えば、本明細書において使用されるように、Rが12個までの炭素原子を有するアルキル基（あるいは、C1〜C12アルキル基）から独立して選択されるという開示は、1, 2, 3, 4, 5, 6, 7, 8, 9, 10, 11または12個の炭素原子を有するアルキル基、ならびにこれらの2つの数の任意の範囲、例えばC3〜C8アルキル基から選択することができ、またこれらの2つの数の任意の範囲の組合せ、例えばC3〜C5アルキル基およびC7〜C10アルキル基を包含するR基をいう。かくして出願人らは、用語、例えば「12個までの炭素原子を有する基」を、そのような範囲ならびにそれに包含される任意の下位の範囲および下位の範囲の組合せが、正当に包含し得る任意の独立した数に取り替える権利を有する。別の例では、モル比が典型的には約0.1〜約1.0の範囲にわたるとの開示によって、出願人らは、モル比が、約0.1：1、約0.2：1、約0.3：1、約0.4：1、約0.5：1、約0.6：1、約0.7：1、約0.8：1、約0.9：1または約1.0：1、ならびにそれに包含される任意の下位の範囲および下位の範囲の組合せから選択することができることを列挙することを意図している。同様に、特定の重量％が約80重量％〜約90重量％であり得るとの開示では、出願人らは、重量％が、約80重量％、約81重量％、約82重量％、約83重量％、約84重量％、約85重量％、約86重量％、約87重量％、約88重量％、約89重量％または約90重量％であり得ることを列挙することを意図している。
【０１２６】
もし、どのような理由のためでも（例えば出願人が出願の時点で知らないであろう参考文献について説明するために）、出願人らが、開示の全限度より少ないものを特許請求することを選択するなら、出願人らは、ある範囲に従って、もしくは同様のやり方で特許請求され得るようなそのような群の任意の個々の構成要素（その群の中の任意の下位の範囲または下位の範囲の組合せを含む）を但し書きで排除するか（proviso out）除く（exclude）権利を留保する。さらに、もし、どのような理由のためでも（例えば出願人が出願の時点で知らないであろう参考文献について説明するために）、出願人らが、開示の全限度より少ないものを特許請求することを選択するなら、出願人らは、特許請求された群の任意の個々の置換基、添加物、化合物、モノマー、界面活性剤、構造等、またはそれらの任意の群、または任意の個々の構成要素を但し書きで排除するか除く権利を留保する。
【０１２７】
本明細書において開示される任意の特定の化合物については、任意の一般的な開示または示される構造はまた、特定の一連の置換基から生じ得る、全ての異性体、例えば配座異性体、位置異性体(regioisomers)、立体異性体等を包含する。一般的な構造はまた、状況が必要とする全ての鏡像体、ジアステレオマーおよび他の光学異性体（鏡像体形態にせよラセミ形態にせよ）ならびに立体異性体の混合物を包含する。
【実施例】
【０１２８】
本発明を以下の実施例によってさらに説明するが、実施例は、いかなるやり方でも、その範囲に限定されるように解釈されるべきではない。一方、本明細書の記載を読んだ後に、本発明の意図および特許請求の範囲の範囲から離れることなく、当業者に示唆され得る、種々の他の態様、実施形態、改変およびその同等物を用いることができることを明確に理解すべきである。
【０１２９】
以下の実施例において、他に特定されなければ、試薬は市販のものから入手した。試薬への言及は、商標登録されていない記載、銘柄もしくは商標名、またはその両方への言及を含み得る。ポリマーラテックスのための一般的合成試験手順を含む一般的な手順は、Krishnanによる 米国特許出願公開第2005/0065284号および2005/0003163号において提供されており、この開示のそれぞれが、引用することにより、その全部が本明細書に組み入れられる。
【０１３０】
例証的実施例1
当業者が認識するように、脱臭組成物は、種々の化学成分を種々の量で含み得る。表１は、例証的な脱臭組成物および各成分の量を示す。この例証的な脱臭組成物は、まず成分1および3を合わせることによって製造することができる。次に製造者は、得られた混合物を撹拌下で成分2にゆっくりと添加し、加熱（75℃）した後、成分4を、得られたバッチに添加し、成分4が溶解するまでバッチを混合することができる。次に製造者は、成分5をバッチにゆっくりと添加し、成分5が溶解するまでバッチを混合した後、バッチを45℃の温度まで冷却する。次に製造者は、成分6〜7をバッチに添加し、均質なバッチが生じるまで混合する。最後に製造者は、バッチを4500rpmにて10分間均質化し、その結果、脱臭処方物を得る。そのような脱臭組成物は、ロールオン、スティックまたはスプレーとして処方することができ、場合により、発汗抑制剤と組み合わせることができる。
【表２】
2011520007.tif 000003
【０１３１】
例証的実施例2
ボディウォッシュ処方物は、種々の化学成分を種々の量で含み得る。表2は、例証的ボディウォッシュ処方物および各成分の量を示す。この例証的ボディウォッシュ処方物は、成分1中に成分2を溶解することによって製造され得る。次に製造者は、成分3を添加し、混合し、得られたバッチを加熱（75℃）して、第1相を形成させる。製造者はその後、成分4および5を合わせ、70℃に加熱し、バッチが完全に溶融するまで混合して、第2相を形成させる。次に製造者は、撹拌しながら第2相を第1相に添加し、均質なバッチが生じるまで混合する。その後製造者は、穏やかに撹拌しながら成分6〜8を1種ずつバッチに添加し、40℃に冷却することができる。次に製造者は、成分9をバッチに添加し、バッチを混合し、必要なときは成分10を用いてpHを6.0〜6.5に調整する。最後に製造者は、必要なときは20％NaCl溶液を用いて粘度を7,000〜15,000CPSに調整する。製造の30分以内に、この例の処方物の粘度を、Brookfield RVT#4を用いて、20RPM、30秒にて測定した。製造12時間後に、粘度を再び、Brookfield RVT#5を用いて、20RPM、30秒にて測定した。
【表３】
2011520007.tif 000004
【０１３２】
例証的実施例3
当業者が認識するように、シャンプー処方物は、種々の化学成分を種々の量で含み得る。表3は、例証的なシャンプー処方物（対照）および各成分の量を示す。この例証的シャンプー処方物は、まず成分1〜5を合わせ（第1相）、得られた相をゆっくりと混合しながら75℃の温度に加熱することによって製造することができる。次に製造者は、成分6〜7を合わせ（第2相）、得られた相をゆっくりと混合しながら75℃の温度に加熱することができる。製造者はその後、第2相を第1相に添加し、室温で均質なバッチが生じるまで2相を混合する。次に、成分8〜9を一度にバッチに添加することができる。最後に、得られたバッチのpHを、成分10を用いて6.0〜6.5に調整することができる。
【表４】
2011520007.tif 000005
【０１３３】
合成実施例4
活性アニオン性ラテックスの製造
1リットルの重合反応器に以下の成分を仕込むことができる：約270gの水；約6gの非イオン界面活性剤Abex（登録商標）2525 (Rhodia)；約2.7gのアニオン性界面活性剤Dowfax（商標）2A1 (Dow Chemical Company)；および約3gのメタクリル酸。反応器を数回減圧／N2で満たすというサイクルに供することによって、反応内容物を脱酸素することができる。
【０１３４】
以下の反応器供給物を調製することができる：
1)  約150gの水、約6gのメトキシポリエチレングリコールメタクリレート（CognisからのMPEG 550）、約4.5gのメタクリル酸、約1.3gのDowfax（商標）2A1および約6gのAbex（登録商標）2525を含む水性モノマー供給物。反応器への全供給時間は5時間である；
2)  約153gのブチルアクリレート、約132gのメチルメタクリレート、および約64gの生物活性剤を含む非水性モノマー供給物。この供給物の全供給時間は5時間である。生物活性剤は、約3時間後にこの供給物中に導入することができる。かくして、最初の約3時間中の非水性モノマー供給物は、ブチルアクリレートおよびメチルメタクリレートのみを含む；
3)  約30gの水および約2.10gの開始剤V-501（商標）(Wako Chemical)を含むことができる開始剤供給物。全供給時間は約5.5時間である。必要なら、数滴のアンモニアを添加して、開始剤の溶解を助けることができる。
【０１３５】
最初の反応器投入物に、10％の非水性モノマー供給物を添加することができ、これは、メチルメタクリレートおよびブチルアクリレートの2種のモノマーのみを含む。というのは、生物活性剤は、3時間までは、モノマー中に導入されないからである。反応器の温度はその後、約165°Fに上げられ、この設定温度に達したとき、約3gの水および約0.30gのV-501を含む元の開始剤溶液（先に記載した開始剤供給物とは別である）を反応器中に注入することができる。反応器内容物をこの温度に約30分間維持した後、供給を開始する。
【０１３６】
供給物の添加が終了したとき、ほとんどの（約98％より多くの）モノマーが反応してしまうまで、反応が続けられる。その後、反応器内容物は冷却され、減圧除去処理されて、未反応モノマーを除去し、固形分濃度を約42〜43重量％まで上げることができる。必要なら、ラテックスのpHを約6.0〜約7.0に調整した後、反応の揮発物を除去することができる。
【０１３７】
合成実施例5
生物活性剤の遅い導入により製造される活性アニオン性ラテックス
5時間の非水性モノマー供給の約4時間後、むしろ3時間後に、約32gの生物活性成分の試料を非水性モノマー供給物中に導入すること以外は実施例2に提供される詳細に従って、乳化重合反応を行うことができる。
【０１３８】
種々の活性成分の組み込みを証明するために、実験を行った。活性成分をモノマー流に溶かすことによって、乳化重合プロセス中に、活性成分がポリマー中に組み込まれる。当業者は、1種以上のラテックスポリマーを、得られる組成物において使用することができることを認識するであろう。
【０１３９】
合成実施例6
酸化亜鉛（Nyacol（登録商標）DP370）のポリマーラテックス処方物中への組み込みを評価するために実験を行った。表4は、アニオン性ラテックス処方物および各成分の量を示す。得られるラテックス処方物は、日焼け止めとして使用することができる。本実施例においては、成分1〜4を反応容器に仕込んだ。水性モノマー供給物（成分6〜10）およびモノマー供給物（成分11〜12）のプレミックスを調製した。初期触媒（成分15）および供給触媒（成分16）を調製した。その後、約2mlのNH4OHを用いてpHを6.5に調整した。次に反応を、不活性気体（窒素）でパージし、71℃の温度に加熱した。その温度に達したら、初期触媒を添加し、反応を30分間保持した。次に、モノマー（成分11〜12）を5時間で供給した。その後水性モノマー（成分6〜10）を4時間で反応中に供給した後、遅効触媒（成分16）の供給を5.5時間で行った。4時間後、約2mlのNH3を用いてpHを6.7に調整し、温度を75℃に上げ、1時間での成分13〜14の供給を開始した。最後に、得られた処方物のpHを、NH3を用いて7.0に調整し、300mlのDWを添加し、53％TSまで除去処理した。得られた物性を表5にまとめる。
【０１４０】
以下の表に挙げた成分は、通常の慣例にて略記される。幾つかの用語についての定義が提供される。本明細書において特定の略語が特に定義されなければ、略語は不確定であると考えるべきでなく、むしろ当業者の通常の専門用語内で使用されるべきである。
【０１４１】
DW --脱イオン水；
Abex（登録商標）2525 --非イオン界面活性剤；    
MPEG550MA --   メトキシポリエチレングリコールメタクリレート；
Special NMA --  N-メチロールアクリルアミドおよびアクリルアミドの登録商標ブレンド；
BA --ブチルアクリレート；
MMA --メチルメタクリレート；
Wako V-501 -- 4,4´-アゾビス-4-シアノペンタン酸；
TBHP --  ターシャリーブチルヒドロペルオキシド；
AWC -- ナトリウムホルムアルデヒドスルホキシレート；
MAA  --  メタクリル酸；
Dowfax（商標） 2A1 --  界面活性剤；
IA  --  イタコン酸；
SFS --ナトリウムホルムアルデヒドスルホキシレート；
NaP--  過硫酸ナトリウム；
STY --スチレン；
ST --スチレン；
Dissolvine NA3-36 --  エチレンジアミン四酢酸三ナトリウム塩；
【表５】
2011520007.tif 000006
【表６】
2011520007.tif 000007
【０１４２】
合成実施例7
クレー（モンモリロナイト）のポリマーラテックス処方物中への組み込みを評価するために実験を行った。表6は、アニオン性ラテックス処方物および各成分の量を示す。得られるラテックス処方物は、種々の化粧品において増粘剤として、または潜在的には、化粧品用途におけるヒビもしくはシワの充填剤として使用することができる。本実施例においては、バッチを高速で少なくとも20分間混合して、クレーを完全に分散させた。成分1〜5を反応器に仕込み、95℃に加熱した。モノマー供給（成分10〜13）を開始し、最初の30分間に12.5％の割合で供給し、その後、残り87.5％を30分から195分まで供給した。最後に、220分間かけて成分6〜9を反応器に供給した。その後、15％NaOH溶液を用いて反応器内容物をpH5.5〜6.5に調整し、除去処理して未反応モノマーを除去し、固形分量を上げた。除去処理した処方物の得られた物性を表7にまとめる。
【表７】
2011520007.tif 000008
【表８】
2011520007.tif 000009
【０１４３】
合成実施例8
クレー（モンモリロナイト）のポリマーラテックス処方物中への組み込みを評価するために別の実験を行った。表８は、アニオン性ラテックス処方物および種々の量の各成分を示す。本実施例においては、成分1〜3を合わせ、30分間混合してプレミックスを形成させた。プレミックスを反応器に添加し、200RPMにて混合した。その後成分4〜6を含むモノマーを反応器に添加し（10％）、反応器を15分間パージした。次に、反応を70℃に加熱し、初期触媒（成分7〜8）を反応器に添加した。反応を30分間保持した。次に、モノマー（成分4〜6）を4時間で供給した。その後水性モノマー（成分9〜10）を3時間で反応に供給した後、遅効触媒（成分11〜12）を4.5時間で供給した。次に、1.5時間後に温度を75℃に上げた。供給終了後、反応を30分間保持した。次に、第1処理（成分13〜16）を30分間かけて反応に供給し、10分間保持した。第２処理（成分17〜20）を30分間かけて反応に供給し、残留モノマーについて、反応をサンプリングした。次に、反応を再び10分間保持し、その後室温に冷却した。得られた物性を表9にまとめる。
【表９】
2011520007.tif 000010
【表１０】
2011520007.tif 000011
【０１４４】
合成実施例9
ピリチオン亜鉛（3％濃度）（Zinc Omadine（登録商標）分散物として入手可能）のポリマーラテックス処方物中への組み込みを評価するために、実験を行った。表10は、アニオン性ラテックス処方物および各成分の量を示す。本実施例においては、成分1〜4を反応容器に仕込んだ。水性モノマー供給物（成分6〜10）およびモノマー供給物（成分11〜12）プレミックスを調製した。初期触媒（成分15）および供給触媒（成分16）を調製した。次に、約2mlのNH4OHを用いてpHを6.5に調整した。その後反応を不活性気体（窒素）でパージし、71℃の温度に加熱した。その温度に達したら、初期触媒を添加し、反応を30分間保持した。次にモノマー（成分11〜12）を5時間で供給した。その後、水性モノマー（成分6〜10）を4時間で反応中に供給した後、遅効触媒（成分16）を5.5時間で供給した。4時間後、約2mlのNH3を用いてpHを6.7に調整し、温度を80℃に上げ、成分13〜14の1時間の供給を開始した。最後に、得られた処方物のpHを、NH3を用いて7.0に調整し、300mlのDWを添加し、除去処理をして53％TSにした。得られた物性を表11にまとめる。
【表１１】
2011520007.tif 000012
【表１２】
2011520007.tif 000013
【０１４５】
予測的実施例10
表12に示した成分を含む少なくとも1種のアニオン性ポリマー成分を含む脱臭組成物を、例証的実施例１の方法に従って製造することができる。脱臭剤は、約2.5％のポリマーAを含むことができ、ポリマーAは活性成分をカプセル封入する（40％活性）。
【表１３】
2011520007.tif 000014
【０１４６】
合成実施例11
本実施例においては、例証的実施例2の方法に従って、表13に示した成分を含む基本のボディウォッシュ処方物を製造した。防腐剤、Glydant（登録商標）(DMDM ヒダントイン)を成分10と混合し、pHを測定する直前にバッチに添加した。泡の高さを決定するために、5グラムの生成物および145グラムの水を計量し、ブレンダーに添加した。生成物および水を10秒間すりつぶし、1000mlの目盛付きシリンダー中に注いだ。泡の高さを読んだ後、2分間待ち、その後液体の高さを読んだ。泡密度を決定するために、10グラムの生成物および145グラムの水を計量し、ブレンダーに添加した。生成物および水を10秒間すりつぶし、得られた泡を100mlの目盛付きシリンダーに注いだ。次にゴム栓を目盛付きシリンダー中に落とし、栓が80mlの印に達したときタイマーをスタートさせた。栓が30mlの印に達したときにタイマーを止めた。次に、時間を記録した。栓が30mlの印に達したなら、目盛付きシリンダーの底で集めた液体の量に基づいて、泡排水を決定した。
【表１４】
2011520007.tif 000015
【０１４７】
合成実施例12
本実施例においては、ステアリン酸グリコールを含まず、0.2％のポリクォタニウム-10（例えば商標Polymer JR 400の下に販売されているもの）を含む基本のボディウォッシュ処方物を製造した。ポリクォタニウム-10を水に分散させ、水和するまで混合した後、表14に示された成分1〜3を添加した。次に、例証的実施例2に示した方法に従ってボディウォッシュを製造した。粘度、泡の高さ、泡排水および泡密度を、合成実施例11に示した方法に従って測定した。
【表１５】
2011520007.tif 000016
【０１４８】
合成実施例13
本実施例においては、例証的実施例2に示した方法に従って、0.2％のポリクォタニウム-10を含む基本のボディウォッシュ処方物を製造した。表15は、本実施例のボディウォッシュ処方物および各成分の量を示す。粘度、泡の高さ、泡排水および泡密度を、合成実施例11に示した方法に従って測定した。
【表１６】
2011520007.tif 000017
【０１４９】
予測的実施例14
例証的実施例2に示した方法に従って、2.5％のポリマーA（40％カプセル封入された活性；ステアリン酸グリコールを含まず）を含むボディウォッシュ処方物を製造することができる。表16は、本予測的実施例のボディウォッシュ処方物および各成分の量を示す。粘度、泡の高さ、泡排水および泡密度を、合成実施例11に示した方法に従って測定することができる。
【表１７】
2011520007.tif 000018
【０１５０】
予測的実施例15
例証的実施例2に示した方法に従って、2.5％のポリマーA（40％カプセル封入された活性）を含む別の基本のボディウォッシュ処方物を製造することができる。表17は、本予測的実施例のボディウォッシュ処方物および各成分の量を示す。粘度、泡の高さ、泡排水および泡密度を、合成実施例11に示した方法に従って測定することができる。
【表１８】
2011520007.tif 000019
【０１５１】
予測的実施例16
少なくとも1種のポリマー、例えばポリマーA（40％カプセル封入された活性）を含むシャンプー処方物を製造することができる。本予測的実施例においては、シャンプー処方物は例証的実施例3に示した方法に従って製造することができ、アニオン性ポリマーを含むことができる。表18は、予測的シャンプー処方物および各成分の量を示す。粘度は、Brookfield RVT#5を用いて、20RPMにて測定することができる。泡の高さを測定するために、5グラムの生成物および145グラムの水を計量し、ブレンダーに添加することができる。生成物および水を10秒間すりつぶし、1000mlの目盛付きシリンダーに注ぐことができる。泡の高さを読んだ後、2分間待ち、その後液体の高さを読むことができる。泡密度を決定するために、10グラムの生成物および145グラムの水を計量し、ブレンダーに添加することができる。生成物および水を10秒間すりつぶし、得られた泡を100mlの目盛付きシリンダーに注ぐことができる。次にゴム栓を目盛付きシリンダー中に落とし、栓が80mlの印に達したときタイマーをスタートさせることができる。その後、栓が30mlの印に達したときにタイマーを止める。次に、時間を記録する。栓が30mlの印に達したなら、目盛付きシリンダーの底で集めた液体の量に基づいて、泡排水を決定する。
【表１９】
2011520007.tif 000020
【０１５２】
合成実施例17
本実施例においては、別のシャンプー処方物を例証的実施例3に従って製造し、これは芳香剤を含むが、抗微生物ポリマー材料を含まなかった。表19は、シャンプー処方物および各成分の量を示す。得られたバッチのpHを、成分10を用いて6.69に調整した。粘度、泡の高さ、泡排水および泡密度を、予測的実施例16に概略を示した試験に従って測定した。
【表２０】
2011520007.tif 000021
【０１５３】
予測的実施例18
別のシャンプー処方物を例証的実施例3に示した方法に従って製造することができ、これは芳香剤およびポリマーA（カプセル封入された活性）を含む。表20は、予測的シャンプー処方物および各成分の量を示す。得られるバッチのpHを、成分11を用いて6.66に調整することができる。粘度、泡の高さ、泡排水および泡密度を、予測的実施例16に概略を示した試験に従って測定することができる。
【表２１】
2011520007.tif 000022
【０１５４】
予測的実施例19
本明細書に開示された任意の種々の活性成分を、任意の量でアニオン性ラテックスポリマー中にカプセル封入して、所望の結果を達成することができる。例えば、以下の活性成分を典型的には、モノマー100重量部当たりの重量部(phm)に基づき約1％〜約2％またはそれ以上カプセル封入することができる：有機UVフィルター、例えばベンゾフェノン、ベンゾトリアゾール、ホモサラート、桂皮酸アルキル、例えばメトキシ桂皮酸オクチル、サリチル酸オクチル；セルフタニング(self-tanning)活性成分、例えばジヒドロキシアセトン(DHEA)；保湿剤、例えばアロエヴェラ(aloe vera)抽出物；フリーラジカル除去剤、例えばビタミンA、CおよびE、ならびに他の酸化防止剤、例えばフェノール系酸化防止剤、例えばBHT（ブチル化ヒドロキシトルエン）およびBHA（ブチル化ヒドロキシアニソール）；カロテノイドおよびカロテン；尿酸およびその誘導体；クエン酸、乳酸、リンゴ酸；スチルベンおよびその誘導体；およびザクロ抽出物；ビタミンK1もしくはK2、ビタミンK1オキシドもしくはビタミンK2オキシド、ホルモン、無機物、草本植物（plant）もしくは植物（botanical）抽出物、抗炎症剤、草本植物抽出物の濃縮物、緩和薬、皮膚保護剤、湿潤剤、シリコーン、肌をなめらかにする成分、鎮痛もしくは抗掻痒剤、皮膚浸透促進剤、可溶化剤、アルカロイドおよび加工助剤；種々の染料および顔料を包含する着色剤；ならびに身体用の香料もしくは芳香剤；またはそれらの任意の組合せ。
【０１５５】
明細書において、典型的な実施形態を開示してきた。特定の語が使用されるが、それらは、包括的かつ説明的な意味で使用され、限定の目的では使用されない。本明細書の記載を読んだ後に、本開示の意図または請求の範囲の範囲から離れることなく、当業者に示唆され得る、種々の他の実施形態、態様、変形および請求の範囲に開示されたものと同等物を用いることができることを明確に理解すべきである。
【０１５６】
観察された特定の試験結果は、特定の組成物ならびに処方物のタイプおよび使用される試験の方式に従って、またはそれらに依存して変化し得る。結果におけるそのような予想される変動または差異は、本発明の実施に従って予期される。
【０１５７】
本発明の特定の実施形態を本明細書において説明し、詳細に記載するが、本発明はそれらに限定されない。上記の詳細な説明は、本発明の典型例として提供され、本発明を限定すると解釈されるべきではない。変更は当業者に明らかであり、本発明の意図から離れない全ての変更は、添付の請求の範囲に含まれるものと解釈される。
【国際調査報告】
2011520007.tif 000023
2011520007.tif 000024